(57)【要約】【課題】  抽選利用者の意思を反映し、かつ抽選事業者が安定的に収益をあげられるような抽選システムの提供等。【解決手段】  コンピュータが、抽選受付システムから抽選開始情報を受信すると、未抽選数量情報と未当選数量情報とを記憶装置から読み出す。そして、コンピュータは、当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出する。この算出した当選確率に基づき行なわれた抽選の当落結果を、記憶装置に格納されている未抽選数量情報と未当選数量情報とに、反映する。これにより上記課題を解決する。【選択図】  図１
2005190046.tif 000002
【特許請求の範囲】
【請求項１】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とを関連付けて記憶する記憶装置と、
当該記憶装置を制御するコンピュータと、を備えており、
前記コンピュータが、
（１）前記抽選受付システムから前記抽選開始情報を受信すると、前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とに、当該抽選の当落結果を反映するステップと、
を実行することを特徴とした抽選補助システム。
【請求項２】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報を受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とに前記当選対象情報を関連付けて記憶する記憶装置と、
当該記憶装置を制御するコンピュータと、を備えており、
前記コンピュータが、
（１）前記抽選受付システムから前記当選対象情報を受信すると、当該受信した当選対象情報に対応する前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とのうち、前記（１）ステップにおいて受信した当選対象情報に対応する前記未抽選数量情報と前記未当選数量情報とに、当該抽選の当落結果を反映するステップと、
を実行することを特徴とした抽選補助システム。
【請求項３】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選権の数量を表す抽選権数量情報を受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とを関連付けて記憶する記憶装置と、
当該記憶装置を制御するコンピュータと、を備えており、
前記コンピュータが、
（１）前記抽選受付システムから前記抽選権数量情報を受信すると、前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とに、前記（２）ステップにおいて取得した抽選権数量に基づいて当該抽選の当落結果を反映するステップと、
を実行することを特徴とした抽選補助システム。
【請求項４】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報と前記抽選権の数量を表す抽選権数量情報とを受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とに前記当選対象情報を関連付けて記憶する記憶装置と、
当該記憶装置を制御するコンピュータと、を備えており、
前記コンピュータが、
（１）前記抽選受付システムから前記当選対象情報と前記抽選権数量情報とを受信すると、当該受信した当選対象情報に対応する前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とのうち、前記（１）ステップにおいて受信した当選対象情報に対応する前記未抽選数量情報と前記未当選数量情報とに、前記（２）ステップにおいて取得した抽選権数量に基づいて当該抽選の当落結果を反映するステップと、
を実行することを特徴とした抽選補助システム。
【請求項５】
前記コンピュータが、
（５）前記記憶装置に格納されている未抽選数量情報のうち、「未抽選数量≦０」となった未抽選数量情報に関連付いている当選対象については、前記抽選の受付を終了するステップと、
を実行することを特徴とした請求項１乃至４記載の抽選補助システム。
【請求項６】
前記コンピュータが、
（５）前記記憶装置に格納されている未抽選数量情報のうち「未抽選数量≦０」となった未抽選数量情報と、当該未抽選数量情報に関連付いている前記未当選数量情報と、を初期化するステップと、
を実行することを特徴とした請求項１乃至４記載の抽選補助システム。
【請求項７】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、  前記記憶装置は、
未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記抽選開始情報を受信することにより前記抽選の開始を認識するステップと、
（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（７）ステップの判定結果が当選である場合に、更に抽選を継続させるか否かを判定する抽選継続判定ステップと、
（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、  （１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、
を実行することを特徴とした抽選補助システム。
【請求項８】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選目標である目標経済的価値情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、  前記記憶装置は、
未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記目標経済的価値情報を受信すると、当該受信した目標経済的価値情報から経済的価値情報を取得するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて取得した経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項９】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、  前記記憶装置は、
未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記抽選開始情報を受信すると、当該抽選の当選目標である目標経済的価値情報を決定するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて決定した目標経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて決定した目標経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項１０】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、  前記記憶装置は、
前記抽選の当選対象を特定する当選対象情報と未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記当選対象情報を受信すると、当該受信した当選対象情報に対応する前記経済的価値情報を前記記憶装置に記憶されている前記抽選参照情報から取得するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて取得した経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項１１】
前記コンピュータが、
前記（７）ステップの判定結果が当選であり、かつ前記（８）ステップの判定結果が同一でない場合に、更に抽選を継続させるか否かを判定する抽選継続判定ステップを行なうことを特徴とした請求項８乃至１０記載の抽選補助システム。
【請求項１２】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選権の数量を表す抽選権数量情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、  前記記憶装置は、
未抽選である数量を表す未抽選数量情報と未当選である数量を表す未当選数量情報とに前記経済的価値を表す経済的価値情報を関連付けた抽選参照情報と、
前記抽選権の数量を表す前記抽選権数量情報と、を記憶し、
前記コンピュータが、
（１）前記抽選受付システムから前記抽選権数量情報を受信すると、当該受信した抽選権数量情報を前記記憶装置に格納するステップと、
（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（７）ステップの判定結果が当選である場合に、更に抽選を継続させるか否かを判定する抽選継続判定ステップと、
（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、  （１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、
を実行することを特徴とした抽選補助システム。
【請求項１３】
前記コンピュータが、
前記記憶装置に記憶されている抽選参照情報において、全ての論理レコードの前記未抽選数量情報が「未抽選数量≦０」となった場合、前記抽選の受付を終了するステップと、
を実行することを特徴とした請求項７乃至１２記載の抽選補助システム。
【請求項１４】
前記コンピュータが、
前記記憶装置に記憶されている抽選参照情報において、前記未抽選数量情報が「未抽選数量≦０」となった論理レコードについて、当該未抽選数量情報と当該未抽選数量情報に関連付いている前記未当選数量情報と、を初期化するステップと、
を実行することを特徴とした請求項７乃至１２記載の抽選補助システム。
【請求項１５】
前記記憶装置が更に、
前記経済的価値情報に関連付けた前記抽選の当選対象を特定する当選対象情報を記憶し、
前記コンピュータが、
前記抽選に当選した抽選利用者に対して、その当選した経済的価値情報に関連付いた前記当選対象情報を前記記憶装置から取得し、当選対象を特定するステップと、
を実行することを特徴とした請求項７、８、９、１２、１３又は１４記載の抽選補助システム。
【請求項１６】
前記記憶装置が更に、
前記経済的価値情報に関連付けた前記抽選の当選対象を特定する当選対象情報を記憶し、
前記コンピュータが、
前記抽選に当選した抽選利用者に対して、当該当選した経済的価値情報に関連付いている前記当選対象情報を全て前記記憶装置から取得し、どの当選対象を選ぶかを前記抽選利用者に選択させる当選対象選択情報を前記抽選受付システムに送信するステップと、
この送信した当選対象選択情報に対する前記抽選受付システムからの選択決定情報を受信し、前記当選対象を特定するステップと、
を実行することを特徴とした請求項７、８、９、１２、１３又は１４記載の抽選補助システム。
【請求項１７】
前記記憶装置が更に、
前記経済的価値情報に関連付けた前記抽選の当選対象を特定する当選対象情報を記憶し、
前記コンピュータが、
前記抽選に当選した抽選利用者に対して、当該当選した経済的価値情報以下の経済的価値情報に関連付いている前記当選対象情報を全て前記記憶装置から取得し、当該当選した経済的価値情報を上限としてどの当選対象の組み合わせを選ぶかを前記抽選利用者に選択させる当選対象選択情報を前記抽選受付システムに送信するステップと、
この送信した当選対象選択情報に対する前記抽選受付システムからの選択決定情報を受信し、前記当選対象を特定するステップと、
を実行することを特徴とした請求項７、８、９、１２、１３又は１４記載の抽選補助システム。
【請求項１８】
前記記憶装置に記憶されている前記抽選参照情報は、当該抽選参照情報の各論理レコードに関連付いている前記経済的価値情報を基準として昇順又は降順にソートされていることを特徴とした請求項７乃至１２の抽選補助システム。
【請求項１９】
前記抽選継続判定ステップは、
前記コンピュータが、
更に抽選を継続するか否かを前記抽選利用者に選択させる抽選継続選択情報を、前記抽選受付システムに送信するステップと、
この送信した抽選継続選択情報に対する前記抽選受付システムからの回答情報を受信し、当該回答情報が抽選継続か否かを判定するステップと、
からなることを特徴とする請求項７、１１又は１２記載の抽選補助システム。
【請求項２０】
前記抽選継続判定ステップは、
前記コンピュータが、
更に抽選を継続するか否かを抽選継続決定プログラムにより判定させるステップ、
からなることを特徴とする請求項７、１１又は１２記載の抽選補助システム。
【請求項２１】
前記コンピュータが、
前記（２）ステップにおける、前記記憶装置に記憶されている前記抽選参照情報から一の論理レコードを読み出す際に、条件に該当する論理レコードのうち関連付いている経済的価値情報が最小のレコードを読み出すこと、
を特徴とする請求項７乃至１２記載の抽選補助システム。
【請求項２２】
前記記憶装置が、
前記抽選参照情報を複数記憶すると共に、
前記抽選参照情報と当該抽選参照情報を識別するための抽選参照識別情報とを関連付けて記憶し、
前記コンピュータが、
前記抽選受付システムから抽選参照識別情報を受信すると、当該受信した抽選参照識別情報に対応する前記抽選参照情報を前記記憶装置から取得し、当該取得した抽選参照情報を使用して前記各ステップを行うこと、
を特徴とする請求項７乃至１２記載の抽選補助システム。
【請求項２３】
前記記憶装置が更に、
事業者を識別するための事業者識別情報に事業者累積情報を関連付けて記憶し、
前記コンピュータが、
前記（１）ステップにおいて前記抽選受付システムから情報を受信すると、当該情報に含まれている前記事業者識別情報に対応する前記事業者累積情報を、前記記憶装置から読み出ステップと、
この読み出した事業者累積情報に前記抽選権数量情報に応じた加算処理を行い、前記記憶装置に格納するステップと、
を実行することを特徴とした請求項７乃至１２記載の抽選補助システム。
【請求項２４】
前記記憶装置が更に、
前記抽選権の種別を識別する抽選権識別情報に抽選権価値変換情報を関連付けて記憶し、
前記コンピュータが、
前記（１）ステップにおいて前記抽選受付システムから情報を受信すると、当該情報に含まれている前記抽選権識別情報に対応する前記抽選権価値変換情報を、前記記憶装置から読み出ステップと、
この読み出した抽選権価値変換情報に基づいて前記抽選権数量情報を変換するステップと、
を実行することを特徴とした請求項７乃至１２記載の抽選補助システム。
【請求項２５】
抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムであって、
当該抽選補助システムは、
情報を記憶する記憶装置と、当該記憶装置を制御するコンピュータと、を備えており、  前記記憶装置は、
未抽選である数量を表す未抽選数量情報と未当選である数量を表す未当選数量情報とに前記経済的価値を表す経済的価値情報を関連付けた抽選参照情報を記憶し、
前記抽選参照情報は、各論理レコードに関連付いている前記経済的価値情報の昇順又は降順にソートされており、
前記コンピュータに、
（１）あるコンピュータから前記経済的価値情報と前記未抽選数量情報とを含む前記抽選参照情報へのデータ登録要求を受信すると、当該データ登録要求に含まれる経済的価値情報と未抽選数量情報とを取得するステップと、
（２）この取得した経済的価値情報に基づいて、前記記憶装置に記憶されている抽選参照情報に当該取得した経済的価値情報と未抽選数量情報とをデータ登録するステップと、  を実行させることを特徴とする抽選補助プログラム。
【請求項２６】
抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムであって、
当該抽選補助システムは、
情報を記憶する記憶装置と、当該記憶装置を制御するコンピュータと、を備えており、  前記記憶装置は、
前記抽選の当選対象を特定する当選対象情報と未抽選である数量を表す未抽選数量情報と未当選である数量を表す未当選数量情報とに前記経済的価値を表す経済的価値情報を関連付けた抽選参照情報を記憶し、
前記抽選参照情報は、各論理レコードに関連付いている前記経済的価値情報の昇順又は降順にソートされており、
前記コンピュータに、
（１）あるコンピュータから前記経済的価値情報と前記未抽選数量情報と前記当選対象情報とを含む前記抽選参照情報へのデータ登録要求を受信すると、当該データ登録要求に含まれる経済的価値情報と未抽選数量情報と当選対象情報とを取得するステップと、
（２）この取得した経済的価値情報に基づいて、前記記憶装置に記憶されている抽選参照情報に当該取得した経済的価値情報と未抽選数量情報と当選対象情報とをデータ登録するステップと、
を実行させることを特徴とする抽選補助プログラム。
【請求項２７】
抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムであって、
当該抽選補助システムは、
情報を記憶する記憶装置と、当該記憶装置を制御するコンピュータと、を備えており、  前記記憶装置は、
未抽選である数量を表す未抽選数量情報と未当選である数量を表す未当選数量情報とに前記経済的価値を表す経済的価値情報を関連付けた抽選参照情報を記憶すると共に、
前記経済的価値情報に前記抽選の当選対象を特定する当選対象情報を関連付けた当選対象参照情報を記憶し、
前記抽選参照情報は、各論理レコードに関連付いている前記経済的価値情報の昇順又は降順にソートされており、
前記コンピュータに、
（１）あるコンピュータから前記経済的価値情報と前記当選対象情報とを含む前記当選対象参照情報へのデータ登録要求を受信すると、当該データ登録要求に含まれる経済的価値情報と当選対象情報とを取得するステップと、
（２）この取得した経済的価値情報に基づいて、前記記憶装置に記憶されている当選対象参照情報に当該取得した当選対象をデータ登録するステップと、
を実行させることを特徴とする抽選補助プログラム。
【請求項２８】
未抽選である数量を表す未抽選数量情報と未当選である数量を表す未当選数量情報とに経済的価値を表す経済的価値情報を記録媒体上のポインタにより関連付けた抽選参照情報を記録した媒体。
【請求項２９】
抽選の当選対象を特定する当選対象情報と未抽選である数量を表す未抽選数量情報と未当選である数量を表す未当選数量情報とに経済的価値を表す経済的価値情報を記録媒体上のポインタにより関連付けた抽選参照情報を記録した媒体。
【請求項３０】
請求項１乃至４記載の抽選補助システムにおいて、
前記コンピュータに、（１）乃至（４）のステップを実行させることを特徴とする抽選補助プログラム。
【請求項３１】
請求項７乃至１０記載の抽選補助システムにおいて、
前記コンピュータに、（１）乃至（１０）のステップを実行させることを特徴とする抽選補助プログラム。
【発明の詳細な説明】
【技術分野】
【０００１】
本発明は、宝くじ、パチンコ、スロットマシン、福引、インターネットカジノ、インターネット懸賞等の、抽選により当選者を決定する抽選システムに係り、特に、当該抽選システムにおいて当選確率を補正することにより抽選主催者の収支変動を抑える事ができる抽選補助システムに関するものである。
【背景技術】
【０００２】
従来の地方自治体や国が主催する宝くじは、以下の様な手順で実施されていた。まず、発売枚数や当選本数、１等や２等などの当選等数毎の当選賞金、発売期間などの抽選制度の設計を行なう。そして当該設計に基づき、各々の抽選券を識別する識別番号が付与された抽選券が発行され、多数の抽選利用者に有償で販売される。販売枚数が売り切れ、あるいは販売期間が終了すると、抽選が行なわれて、夫々の当選等数毎に予定当選本数分の当選した識別番号が決定される。そして当選した識別番号が付与された抽選券を抽選事業者の委託業者に持参した場合、当該当選した当選金が支払われる。この宝くじにおける抽選券は、日本国の法律上の正式名称は「当選金附証票」という。また、以上の宝くじにおける制度設計から販売終了、抽選までの抽選サイクルは通常は数ヶ月程度を要する。
【０００３】
この宝くじ事業の仕組みは、抽選利用者から抽選券の購入の対価として受領する予定の予定収入のうちから、一定割合を当選した抽選利用者に還元し（日本国においては予定収入の約５０％）、残った収入のうちから手数料や人件費等の事業費用を控除した額が事業者利益となる。このような宝くじにおける抽選制度は、抽選主催者にとっては事前に制度設計を綿密に行なえるため、終了後の事業利益を得られる可能性は非常に高い。すなわち、予定していたほど抽選券が販売できなかった場合であっても、実際に売り上げた実収入分の約５０％を当選金として抽選利用者に還元すればよいため、販売収入（販売枚数）に合わせて１等や２等などの当選等数毎の当選本数を増減させれば良いのである。これは、宝くじが、全ての販売を終えてから、最後に当選か否かの抽選を行なうという仕組を採用しているからこそ取り得る措置である。
【０００４】
このように、宝くじは全ての販売が終了してから抽選により当選者を決めるという仕組みを採用しているため、主催者にとっては、事業によって損失を計上するという事業リスクが非常に少ないという利点がある。しかしながらその反面として、抽選利用者にとっては抽選券購入から当選が決定するまでの期間をひたすら待たなければならず、結果として抽選に当選していたとしても、当選確認を行なうことを忘れてしまったり、抽選券自体を紛失してしまうという不都合が生じやすい。また、宝くじの抽選は全ての抽選券について画一的に行なわれるため、抽選利用者は自己の意思により当選を望む当選賞金を指定する事ができないという不都合があった。すなわち、ある抽選利用者が１等の賞金のみの当選を望んだとしても（他の等数の当選を全く望まない）、そのような意思は全く考慮されることなく、全ての抽選券に対して画一的に抽選は行われる。
【０００５】
また、パチンコやスロットマシン（以下「遊技機」と称する。）の抽選は、以下の様な手順で実行されていた。まず、抽選利用者は、パチンコ球やスロットコイン等を、抽選を行なう抽選権を表すものとして抽選事業者たるパチンコホール等から有償で貸与してもらう。そして、抽選利用者は、複数のパチンコ台やスロットマシンの中から、自己が抽選を行いたい任意の遊技機を選択する。次に、抽選利用者が抽選権たるパチンコ球やスロットコイン等を使用して遊技機を実行する。そうすると、パチンコのスタートチャッカーにパチンコ球を入賞させたり、スロットマシンのスタートレバーを引く等の、抽選者の行為をトリガーとして、遊技機内部のシステムで抽選が行なわれる。当該抽選は、予め遊技機に設定された当選確率に基づいて行なわれ、当選もしくは落選の別を遊技機がデジタル表示や音により表示する。そして、抽選に当選した場合は、パチンコでは多くのパチンコ玉が、スロットマシンでは多量のコインが夫々払戻されるという、いわゆるボーナスゲームを抽選利用者は楽しむことができるのである。最終的に手元に残ったパチンコ球やスロットコイン等を、抽選利用者は景品等に交換してもらい、その目的を達する。
【０００６】
この遊技機の抽選は、パチンコの場合はスタートチャッカーにパチンコ球が入賞した瞬間の、スロットマシンの場合はスタートレバーを引いた瞬間の、夫々遊技機内部に保持している値が当選値か否かにより、抽選を行なっている。例えば、当選確率が３５０分の１である遊技機では、３５０の値が常に遊技機内部で変動して保持されており、上記抽選者の行為としてのトリガーの時点での値が、３５０の値のうちの１の当選値であるか否かにより当選又は落選の別を判断するのである。そして、遊技機はその当選又は落選の別をデジタル表示や音などを使用することによって、抽選利用者の興趣をかきたてている。
【０００７】
この遊技機事業の仕組みも、抽選利用者から抽選権の購入の対価として受領する予定の予定収入のうちから、一定割合を当選した抽選利用者に還元し（日本国においては予定収入の約７０〜９０％）、残った収入のうちから手数料や人件費等の事業費用を控除した額が事業者利益となる。但し、上記の宝くじの抽選と異なり、遊技機の抽選は個別の遊技機毎に行われるという特徴がある。すなわち、上記宝くじの事業では、収入が確定してから抽選利用者全てに対してまとめて抽選を行なう（販売枚数確定後に抽選）という抽選方式であるのに対し、遊技機の抽選は抽選利用者の個々が適宜抽選を行なう（遊技機毎に独立して抽選が行なわれる）という抽選方式を採用している。そのため、遊技機に対して事業者がある程度収益が得られるような理論的当選確率を事前に設定しておき（先の３５０分の１等）、個々の抽選利用者に抽選を夫々独立に行なわせる。それにより、遊技機の抽選回数が多数になっていくため、数学の「大数の法則」により最終的には遊技機の実際の当選確率は上記理論的当選確率に近づく。すなわち、理論的当選確率（例えば３５０分の１等）より実際には高い確率で当選した抽選利用者（運が良かった）もいるし、低い確率でしか当選しなかった抽選利用者（運が悪かった）もいるが、遊技機全体としてみると「大数の法則」により理論的当選確率に近づくため、抽選事業者の利益は理論値に近いところで確保できるのである。
【０００８】
このように、遊技機の抽選は、事前に遊技機に当選確率の理論値を設定し、抽選利用者の個々が適宜抽選を行なうという仕組みを採用しているため、抽選利用者にとっては、抽選を行ないたいときにすぐ実行でき、結果をすぐに知ることができるという利点がある。また、パチンコやパチスロ等の遊技機の種類も多数存在するため、当選確率は比較的低いが大当たりが期待できる機種や、当選確率は比較的高いが小当たりしか期待できない機種等、どの遊技機を選択して抽選するかは抽選利用者の自由であるという利点がある。しかしながらその反面として、例えば偶然抽選の当選が連続した場合は多数の賞金、商品が必要となるため、抽選事業者にとっては事業リスクが比較的大きい。また、先のように数学の「大数の法則」を活用したビジネスである為、長期的には平均的な収益を期待できるが、短期的には収益のぶれが大きくなることもよくある。
【０００９】
また、福引の抽選は、抽選主催者が当たり玉をハズレ玉の中に均等に混入させるのが難しいため、必ずしも抽選利用者が等しい当選確率であるとは言えないという不都合がある。また、宝くじと同様に、抽選利用者が自己の意思に基づいて、当選商金、商品等を選択することができない。
【００１０】
更に、インターネットカジノの抽選も上記遊技機の抽選と同様に、抽選利用者の意思により抽選が行なわれるが、やはり抽選事業者が安定的に収益をあげることは困難であり、短期的には収益のぶれが生じる。
【００１１】
また、複数の当選対象たる賞品が存在するインターネット懸賞の抽選も、上記宝くじの抽選と同様に、抽選利用者の意思を反映することが困難であった。
【００１２】
ここで、本出願人は、以上のような従来技術に関する先行技術文献を特に知らない。
【発明の開示】
【発明が解決しようとする課題】
【００１３】
上記に述べたように、従来の技術では、抽選利用者の意思を反映し、かつ抽選事業者が安定的に収益をあげられるような抽選を行なうことが困難であった。すなわち、抽選利用者がすぐに抽選の結果を知ることができ、目的とする賞金・商品等を指定でき、かつ抽選事業者が安定的な収益をあげることができ、事業者の手間の負担も大きくないというような、理想的な抽選方法を実現する技術は存在しなかった。
【００１４】
本発明は、このような課題を解決するためになされたものであり、抽選利用者と抽選事業者の双方にとって利点が大きい抽選システムを実現することをその目的とする。
【課題を解決するための手段】
【００１５】
上記課題を解決するため、本発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の開始を指示する抽選開始情報を受付ける抽選受付システムと、前記抽選を実行して当該抽選の当落を決定する抽選実行システムと、コンピュータ通信が可能な抽選補助システムである。また、当該抽選補助システムは、未抽選である数量を表す未抽選数量情報と未当選である数量を表す未当選数量情報とを関連付けて記憶する記憶装置と、当該記憶装置を制御するコンピュータと、を備えている。更に当該抽選補助システムは、前記コンピュータが、（１）前記抽選受付システムから前記抽選開始情報を受信すると、前記未抽選数量情報と前記未当選数量情報とを、前記記憶装置から読み出すステップと、（２）当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出するステップと、（３）この算出した当選確率を前記抽選実行システムに送信するステップと、（４）この送信した当選確率に基づき行なわれた抽選の当落結果を当該抽選実行システムから受信し、前記記憶装置に格納されている前記未抽選数量情報と前記未当選数量情報とに、当該抽選の当落結果を反映するステップと、を実行することを特徴としている。
【００１６】
ここで、「抽選権」とは、抽選を行なう権利であり、抽選主催者より抽選利用者に付与されるものである。また、この抽選の種類としては、宝くじの抽選、インターネットカジノの抽選、パチンコの抽選、スロットマシンの抽選、インターネット懸賞の抽選等の、当選もしくは落選を決定する各種の抽選が含まれる。「対価」とは、上記抽選権の付与と交換される対価である。この「対価」は抽選利用者が抽選主催者に払うこともあるが、第三者から抽選主催者に払われることもある。この例として、抽選利用者が第三者の商品宣伝等の電子メール（いわゆる電子メール広告等）を受信する代わりに当該第三者から抽選権を付与され、当該抽選権の対価はその第三者が抽選主催者に払う場合等がある。「経済的価値」とは、日本円やアメリカドル等の各国貨幣を含むのは当然として、小売店が消費者に付与するポイントサービス等も含み、数値として表現できる経済的価値（財産的価値を有するもの）を広く含む概念である。したがって、上記「抽選権の対価」は必ずしも貨幣により支払われる必要は無く、企業等の団体が保証するポイント（一定ポイント貯めると品物と交換できる制度）等でも良いのである。「当該受領する経済的価値の予定収入を限度として」とは、通常、抽選主催者は抽選の予定収入から自己の利益を控除し、そこから抽選の当選配当を行なうものだからである（そうしなければ、抽選主催者はボランティアでの事業となる）。しかし、「予定収入」であるから、一時的に当選配当が実収入を超える場合があってもよい。例えば、１の経済的価値を「抽選権の対価」として１００分の１の確率で５０の経済的価値が当選する抽選において、１回目の抽選で当選が出た場合は一時的に収支がマイナスとなるが、いわゆる期待値が「抽選権の対価」以下となる抽選なので該当する。つまり、１００回抽選をすれば１回しか当選が出ないため、事業者は差し引き５０のプラスとなるからである。また、「予定収入」には、「抽選権の対価」として受領した経済的価値から生じた利息分も含まれる。また、「経済的価値を有する当選対象」であるので、「抽選権の対価」として受領した経済的価値と、経済的価値を有する当選対象とが、同一のものでなくとも良い。例えば、「抽選権の対価」として１００日本円を受領し、当選対象として自動車が提供される抽選が該当する。
【００１７】
続いて、「抽選システム」は、「抽選受付システム」と「抽選実行システム」と本発明に係る「抽選補助システム」とから構成されている。この「抽選受付システム」は、上記抽選の開始を指示する抽選の開始を受付けるシステムであり、クライアントサーバシステムにおけるクライアントに相当する。また「抽選実行システム」は、上記抽選を実行して当該抽選の当落を決定するシステムであり、複数存在しても良い。これらの「抽選システム」は複数のハードウェア（情報端末）から構成されていても良いし、一のハードウェア（情報端末）の内部に「抽選受付システム」、「抽選実行システム」、「抽選補助システム」が各々プログラムとして記憶される事により構成されていても良い。「コンピュータ通信が可能な」とは、本発明に係る「抽選補助システム」が「抽選受付システム」と「抽選実行システム」とに通信回線により接続しており、当該通信回線が有線（光ファイバー、ＡＤＳＬ、インターネット等）であるか無線（携帯電話の通信網、無線ＬＡＮ等）であるかの別を問わず、コンピュータ通信が可能であれば足りることを表す。「通信回線」という文言限定により、「有線通信回線」に権利範囲が限られるとの誤解を避けるためにこのように記載したものである。
【００１８】
続いて、「未抽選数量情報」とは、一定の抽選サイクルにおける未抽選の数量を表す情報であり、例えば、１の経済的価値を「抽選権の対価」として１００分の１の確率で５０の経済的価値が当選する抽選においては、最初の段階では１００の経済的価値分の抽選権が未抽選であるので「未抽選数量情報」は１００となる。
【００１９】
また、「未当選数量情報」とは、一定の抽選サイクルにおける未当選の数量を表す情報であり、例えば、１の経済的価値を「抽選権の対価」として１００分の１の確率で５０の経済的価値が１回当選する抽選においては、最初の段階では５０の経済的価値が１回分未当選であるので「未当選数量情報」は１となる。
【００２０】
「記憶装置」とは、例えば、ＲＯＭ、ＲＡＭ、ＨＤＤ等がこれに該当する。また、「コンピュータ」とは、電子計算機としてのコンピュータを含むことは当然であるが、電子以外の他の原理によって動作するコンピュータ、例えば量子コンピュータ等も含む。
【００２１】
「当該取得した未抽選数量を分母とし当該取得した未当選数量を分子として、前記当選対象の当選確率を算出する」とは、例えば、１の経済的価値を「抽選権の対価」として１００分の１の確率で５０の経済的価値が１回当選する抽選において、抽選前の状況が、「未抽選数量情報」が３０であり「未当選数量情報」が１である場合があるとする。つまり、「未抽選数量情報」が７０に相当する抽選が既に行なわれ、１回も当選が出なかった場合である。この場合、コンピュータが記憶装置から「未抽選数量情報」である３０と「未当選数量情報」である１とを前記（１）ステップで取得し、前記（２）ステップにおいて、コンピュータは当該取得した「未抽選数量情報」である３０を分母とし、当該取得した「未当選数量情報」である１を分子として、当選対象の当選確率である３０分の１を算出するのである。この算出された当選確率である３０分の１に基づいて、前記抽選実行システムが当選か落選かを抽選することにより、当落を決定するのである。当該抽選実行システムが行なう抽選方法については、前記算出された当選確率に基づいて行なわれるものであれば、どのような方法であっても良い。
【００２２】
「この送信した当選確率に基づき行なわれた抽選の当落結果を当該抽選実行システムから受信し、前記記憶装置に格納されている前記未抽選数量情報と前記未当選数量情報とに、当該抽選の当落結果を反映する」とは、例えば、１の経済的価値を「抽選権の対価」として１００分の１の確率で５０の経済的価値が１回当選する抽選において、抽選前の状況が、「未抽選数量情報」が３０であり「未当選数量情報」が１である場合があるとする。この状態で、当選確率である３０分の１に基づいて、前記抽選実行システムが当選か落選かを抽選し、結果が当選であった場合、コンピュータが前記記憶装置に記憶されている「未抽選数量情報」を１減らして２９にし、「未当選数量情報」を１減らして０にする。逆に、当該状態で結果が落選であった場合、コンピュータが前記記憶装置に記憶されている「未抽選数量情報」を１減らして２９にし、「未当選数量情報」には変更を加えない。これにより、前記記憶装置に記憶されている「未抽選数量情報」と「未当選数量情報」とに、前記抽選の当落結果を反映することができるのである。
【００２３】
以上の解釈は、以下の発明についても適用される。
【００２４】
本発明に係る抽選補助システムは、上記情報を記憶装置に格納し、上記処理をコンピュータが実行することにより、何らかの当選確率に基づき行なわれる各種抽選の抽選利用者を平等に扱いつつ、抽選の当選・落選による抽選主催者の収支変動を抑える事ができるのである。すなわち、実際は抽選補助システムの記憶装置に格納されている上記「未抽選数量情報」と「未当選数量情報」とがどのような状態であるかにより抽選利用者それぞれの当選確率は異なることになるが、抽選利用者は自己の抽選時の「未抽選数量情報」と「未当選数量情報」とを知ることができないため、理論的な当選確率は平等になる。例えば、１０枚のカードのうちに当たりが１枚しかないゲームにおいて、１０人が夫々の自己のカードを選択し、同時にカードを見た場合に当選確率は１０分の１となる。本発明に係る抽選補助システムは、「未抽選数量情報」と「未当選数量情報」とにより当選確率を決定するため、これを不特定多数の抽選利用者が異なる場所、時間に行なうことができる。
【００２５】
また、本発明に係る抽選補助システムは、異なる抽選主催者が共有して使用する事により、全体として一つの「抽選実行システム」として統合できるのである。すなわち、例えば、宝くじの抽選を主催する抽選主催者が複数存在する場合において（日本を例に取ると、地方自治体や国等）、抽選主催者が異なる宝くじであっても、全体として一つの「抽選システム」として統合できるのである。
【００２６】
また、本発明に係る抽選補助システムは、上記「未当選数量情報」により当選数量を一定にするように管理できるため、抽選において当選が連続して発生する事などによる抽選主催者の収支変動を抑える事ができる。例えば、パチンコの抽選システムにおいて、通常はパチンコの台夫々が独立して抽選を行なっているため、連続して当選が続く場合がありえる。しかし、パチンコの台夫々を上記「抽選受付システム」とし、本発明に係る抽選補助システムを共有して使用する事により、全体としての収支変動を抑える事ができ、抽選主催者が安定して利益を得られるような仕組み作りが可能なのである。さらに、抽選利用者が抽選受付システムから抽選の指示を行なうことにより、即座に抽選の結果を知ることができるという顕著な効果も奏するのである。
【００２７】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の当選対象を特定する当選対象情報を受付ける抽選受付システムと、前記抽選を実行して当該抽選の当落を決定する抽選実行システムと、コンピュータ通信が可能な抽選補助システムである。また、当該抽選補助システムは、未抽選である数量を表す未抽選数量情報と未当選である数量を表す未当選数量情報とに前記当選対象情報を関連付けて記憶する記憶装置と、当該記憶装置を制御するコンピュータと、を備えている。更に当該抽選補助システムは、前記コンピュータが、（１）前記抽選受付システムから前記当選対象情報を受信すると、当該受信した当選対象情報に対応する前記未抽選数量情報と前記未当選数量情報とを、前記記憶装置から読み出すステップと、（２）当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出するステップと、（３）この算出した当選確率を前記抽選実行システムに送信するステップと、（４）この送信した当選確率に基づき行なわれた抽選の当落結果を当該抽選実行システムから受信し、前記記憶装置に格納されている前記未抽選数量情報と前記未当選数量情報とのうち、前記（１）ステップにおいて受信した当選対象情報に対応する前記未抽選数量情報と前記未当選数量情報とに、当該抽選の当落結果を反映するステップと、を実行することを特徴としている。
【００２８】
ここで、本発明以外の上記他の発明について説明した用語については重複説明となるため説明を省略し、新たに登場した用語等について説明する。「当選対象情報」とは、前記抽選の当選対象を特定する情報であり、この当選対象の例として、車やパーソナルコンピュータ等の賞品、日本円やアメリカドル等の貨幣による賞金、海外旅行をする権利等の経済的価値を有するものがある。これら各種当選対象を特定するための情報が「当選対象情報」なのである。
【００２９】
以上の解釈は、以下の発明についても適用される。
【００３０】
当該「当選対象情報」が上記「未抽選数量情報」と「未当選数量情報」とに関連付けて記憶装置上に記憶されることによって、「当選対象情報」毎に抽選が別途行なわれることになる。よって、複数の当選対象が存在する抽選においても、本発明に係る抽選補助システムを使用する事により、抽選の当選・落選による抽選主催者の収支変動を抑える事ができる等の上記効果を得ることができるのである。また、上記「抽選受付システム」において抽選利用者が自ら「当選対象」を選択することにより、上記賞品や賞金等の別に関わらず、抽選利用者が望む「当選対象」についての抽選を行なうことができる。例えば、宝くじの抽選において１等〜Ｎ等までの複数の当選対象（賞金）が存在する場合、通常の宝くじでは抽選利用者が当選対象を選択すること（３等の賞金を希望する等）はできない。しかし、本発明に係る抽選補助システムを利用する事により、例えば、宝くじの抽選において抽選利用者が２等の当選対象を選択した場合、当該抽選の結果として２等が当選するか、落選するかの何れかしかなくなる。すなわち、宝くじ等の抽選において、当該抽選の枠組みを保ちながら、抽選利用者の自由意思を反映する事ができるのである。
【００３１】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選権の数量を表す抽選権数量情報を受付ける抽選受付システムと、前記抽選を実行して当該抽選の当落を決定する抽選実行システムと、コンピュータ通信が可能な抽選補助システムである。また、当該抽選補助システムは、未抽選である数量を表す未抽選数量情報と未当選である数量を表す未当選数量情報とを関連付けて記憶する記憶装置と、当該記憶装置を制御するコンピュータと、を備えている。更に当該抽選補助システムは、前記コンピュータが、（１）前記抽選受付システムから前記抽選権数量情報を受信すると、前記未抽選数量情報と前記未当選数量情報とを、前記記憶装置から読み出すステップと、（２）当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出するステップと、（３）この算出した当選確率を前記抽選実行システムに送信するステップと、（４）この送信した当選確率に基づき行なわれた抽選の当落結果を当該抽選実行システムから受信し、前記記憶装置に格納されている前記未抽選数量情報と前記未当選数量情報とに、前記（２）ステップにおいて取得した抽選権数量に基づいて当該抽選の当落結果を反映するステップと、を実行することを特徴としている。
【００３２】
ここで、「抽選権数量情報」とは、前記抽選権の数量を表す情報であり、抽選権を抽選における経済的価値を単位として表したものである。例えば、１以上の経済的価値を「抽選権の対価」として１００分の１の確率で５０の経済的価値が１回当選する抽選において、２以上の経済的価値を一度に賭けて抽選が行なえれば便利である。
【００３３】
「当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出する」とは、例えば、１以上の経済的価値を「抽選権の対価」として１００分の１の確率で５０の経済的価値が１回当選する抽選において、抽選前の状況が、「未抽選数量情報」が３０であり「未当選数量情報」が１である場合があるとする。つまり、「未抽選数量情報」が７０に相当する抽選が既に行なわれ、１回も当選が出なかった場合である。この場合において、コンピュータが、前記（１）ステップで受信した「抽選権数量情報」が３であるとする。そうすると、コンピュータが記憶装置から「未抽選数量情報」である３０と「未当選数量情報」である１とを前記（１）ステップで取得し、前記（２）ステップにおいてコンピュータは、当該取得した「未抽選数量情報」である３０を分母とし、当該取得した「未当選数量情報」である１と当該受信した「抽選権数量情報」である３との乗算結果である３（１×３）を分子として、当選対象の当選確率である１０分の１（３／３０＝１／１０）を算出するのである。この算出された当選確率である１０分の１に基づいて、前記抽選実行システムが当選か落選かを抽選することにより、当落を決定し、結果が当選であった場合、「抽選権数量情報」である３に基づいてコンピュータが前記記憶装置に記憶されている「未抽選数量情報」を３減らして２７にし、「未当選数量情報」を１減らして０にする。逆に、当該状態で結果が落選であった場合、「抽選権数量情報」である３に基づいてコンピュータが前記記憶装置に記憶されている「未抽選数量情報」を３減らして２７にし、「未当選数量情報」には変更を加えない。これにより、前記記憶装置に記憶されている「未抽選数量情報」と「未当選数量情報」とに、前記抽選の当落結果を反映することができるのである。このようなコンピュータの動作が、「この送信した当選確率に基づき行なわれた抽選の当落結果を当該抽選実行システムから受信し、前記記憶装置に格納されている前記未抽選数量情報と前記未当選数量情報とに、前記（２）ステップにおいて取得した抽選権数量に基づいて当該抽選の当落結果を反映する」に該当するのである。
【００３４】
以上の解釈は、以下の発明についても適用される。
【００３５】
よって、抽選権数量情報を変化する事ができる抽選においても、本発明に係る抽選補助システムを使用する事により、抽選の当選・落選による抽選主催者の収支変動を抑える事ができる等の上記効果を得ることができるのである。また、上記「抽選受付システム」において抽選利用者が自ら「抽選権数量情報」を決定することにより、当該「抽選権数量情報」に基づいて抽選が行なわれるため、抽選の枠組みを保ちながら、抽選利用者の自由意思を反映する事ができるのである。例えば、通常パチンコの抽選においてはスタートチャッカーにパチンコ球が入った瞬間にセンサーが感知しパチンコ台の内部で毎回抽選が行なわれるが、本発明に係る抽選補助システムを使用する事により、スタートチャッカーにパチンコ球が１回入る毎に１の「抽選権数量情報」としてストックしておき、抽選利用者が任意の段階でそれまでストックされた「抽選権数量情報」の使用を「抽選受付システム」たるパチンコ台に命令する事によりまとめて抽選が行なわれるため、抽選利用者の自由意思を反映する事ができるのである。
【００３６】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の当選対象を特定する当選対象情報と前記抽選権の数量を表す抽選権数量情報とを受付ける抽選受付システムと、前記抽選を実行して当該抽選の当落を決定する抽選実行システムと、コンピュータ通信が可能な抽選補助システムである。また、当該抽選補助システムは、未抽選である数量を表す未抽選数量情報と未当選である数量を表す未当選数量情報とに前記当選対象情報を関連付けて記憶する記憶装置と、当該記憶装置を制御するコンピュータと、を備えている。更に当該抽選補助システムは、前記コンピュータが、（１）前記抽選受付システムから前記当選対象情報と前記抽選権数量情報とを受信すると、当該受信した当選対象情報に対応する前記未抽選数量情報と前記未当選数量情報とを、前記記憶装置から読み出すステップと、（２）当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出するステップと、（３）この算出した当選確率を前記抽選実行システムに送信するステップと、（４）この送信した当選確率に基づき行なわれた抽選の当落結果を当該抽選実行システムから受信し、前記記憶装置に格納されている前記未抽選数量情報と前記未当選数量情報とのうち、前記（１）ステップにおいて受信した当選対象情報に対応する前記未抽選数量情報と前記未当選数量情報とに、前記（２）ステップにおいて取得した抽選権数量に基づいて当該抽選の当落結果を反映するステップと、を実行することを特徴としている。
【００３７】
ここで、「当選対象情報」及び「抽選権数量情報」は、上記説明した情報である。
【００３８】
これにより、複数の当選対象が存在し、抽選権数量情報を変化する事ができる抽選においても、本発明に係る抽選補助システムを使用する事により、抽選の当選・落選による抽選主催者の収支変動を抑える事ができる等の上記効果を得ることができるのである。
【００３９】
また、他の発明に係る抽選補助システムは、前記コンピュータが、（５）前記記憶装置に格納されている未抽選数量情報のうち、「未抽選数量≦０」となった未抽選数量情報に関連付いている当選対象については、前記抽選の受付を終了するステップ、を実行することを特徴としている。
【００４０】
ここで、「前記記憶装置に格納されている未抽選数量情報のうち、「未抽選数量≦０」となった未抽選数量情報に関連付いている当選対象については、前記抽選の受付を終了する」とは、前記「未抽選数量情報」が０以下になった当選対象は抽選主催者にとってそれ以上抽選を行なう必要がないことを表しているため、抽選補助システムが抽選の受付を終了するステップを行なうのである。具体的には、抽選補助システムが抽選受付システムに当該当選対象を目的とした抽選を受付なくするように受付終了命令を送信することや、抽選受付システムから当該当選対象を目的とした抽選開始情報等を受信した場合に、抽選補助システムが当該当選対象については受付を終了したことを知らせる情報を抽選受付システムに送信する事等が該当する。
【００４１】
以上の解釈は、以下の発明についても適用される。
【００４２】
これにより、事前の抽選設計に基づいて抽選を実施することが可能になり、かつ、抽選の当選・落選による抽選主催者の収支変動を抑える事ができる等の上記効果を得ることができるのである。例えば、宝くじの抽選として、１以上の経済的価値を「抽選権の対価」として１００分の１の確率で５０の経済的価値が１０回当選する抽選を行ないたいとする。そうすると、本発明に係る抽選補助システムの記憶装置の「未抽選数量情報」を１０００とし「未当選数量情報」を１０とすることにより、当該抽選の実現が可能となるのである。それは、「未抽選数量≦０」となった場合、本発明に係る抽選補助システムが受付を終了させるからである。これにより、宝くじ等の、抽選を一旦中断する必要のある抽選事業についても、本発明に係る抽選補助システムを適応させることができる。
【００４３】
また、他の発明に係る抽選補助システムは、前記コンピュータが、（５）前記記憶装置に格納されている未抽選数量情報のうち「未抽選数量≦０」となった未抽選数量情報と、当該未抽選数量情報に関連付いている前記未当選数量情報と、を初期化するステップ、を実行することを特徴としている。
【００４４】
ここで、「前記記憶装置に格納されている未抽選数量情報のうち、「未抽選数量≦０」となった未抽選数量情報と、当該未抽選数量情報に関連付いている前記未当選数量情報と、を初期化する」とは、前記「未抽選数量情報」が０以下になった当選対象は抽選主催者にとって抽選の単位として１サイクルが終了したことを表しているため、継続的な抽選を行なうために抽選補助システムが、未抽選数量情報と当該未抽選数量情報に関連付いている前記未当選数量情報とを初期化するステップを行なうのである。
【００４５】
具体的には、「未抽選数量≦０」となった未抽選数量情報と、当該未抽選数量情報に関連付いている前記未当選数量情報と、を抽選者が未だ一回も抽選を行なっていない初期状態の数値に変更することがある。例えば、１以上の経済的価値を「抽選権の対価」として１００分の１の確率で５０の経済的価値が１回当選する抽選において、抽選前の状況が、「未抽選数量情報」が１であり「未当選数量情報」が１である場合があるとする。つまり、「未抽選数量情報」が９９に相当する抽選が既に行なわれ、１回も当選が出なかった場合である。この場合は、「未抽選数量情報」＝「未当選数量情報」＝１であるため、次に抽選を行なった場合は１／１の確率、すなわち１００％当選する。そうすると、「未抽選数量情報」が「０」になるため（同時に「未当選数量情報」も「０」になる）、上記コンピュータは「未抽選数量情報」を初期値の「１００」に設定し、「未当選数量情報」を初期値の「１」に設定するのである。
【００４６】
以上の解釈は、以下の発明についても適用される。
【００４７】
これにより、一の当選対象についての抽選を何度でも繰り返し行なうことができるため、抽選主催者の収支変動を抑えることができる等の上記効果を得ることができる抽選を、継続的に実施することができるのである。例えば、１の経済的価値を「抽選権の対価」として１００分の１の確率で５０の経済的価値が１回当選する抽選の場合、「未抽選数量情報」の初期値を「１００」、「未当選数量情報」の初期値を「１」とすれば、継続的に実施することができるのである。よって、抽選事業者にとって手間が少ないため、宝くじの抽選等の定型的な抽選にとっては特に顕著な効果を奏する。
【００４８】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の開始を指示する抽選開始情報を受付ける抽選受付システムと、前記抽選を実行して当該抽選の当落を決定する抽選実行システムと、コンピュータ通信が可能な抽選補助システムである。また、当該抽選補助システムは、情報を記憶する記憶装置と、当該記憶装置を制御するコンピュータと、を備えている。そして、当該抽選補助システムの記憶装置は、未抽選である数量を表す未抽選数量情報と未当選である数量を表す未当選数量情報とに前記経済的価値を表す経済的価値情報を関連付けた抽選参照情報と、前記抽選権の数量の初期値を表す抽選権数量情報と、を記憶している。また、当該抽選補助システムは、前記コンピュータが、（１）前記抽選受付システムから前記抽選開始情報を受信することにより前記抽選の開始を認識するステップと、（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、（５）この算出した当選確率を前記抽選実行システムに送信するステップと、（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、（７）当該（６）ステップにおいて受信した抽選の当落結果が、当選であるか否かを判定するステップと、（８）前記（７）ステップの判定結果が当選である場合に、更に抽選を継続させるか否かを判定する抽選継続判定ステップと、（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、（１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、を実行することを特徴としている。
【００４９】
ここで、「抽選参照情報」とは、抽選の対象となる経済的価値ごとに未抽選数量情報と未当選数量情報とが関連付いている情報である。また、「前記抽選受付システムから前記抽選開始情報を受信することにより前記抽選の開始を認識する」とは、受信すると抽選の開始を即座に行なうことまでは必要とせず、抽選受付システムの命令が処理のトリガーとなるという程度の意味である。また、「前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出す」とは、「抽選参照情報において、関連付いている未抽選数量情報が「未抽選数量≦０」でない論理レコード」は未だ抽選の受付を終了していない当選対象であり、「当該論理レコードに関連付いている前記経済的価値情報が前記記憶装置に記憶されている抽選権数量情報を超えるもののうちから一の論理レコード」を読み出すのは、現在の抽選権数量より高い経済的価値を持つ当選対象の抽選に移行する事により、抽選の対象を段々と経済的価値を高い当選対象にしてくためである。また、「当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納する」とは、当選した当選対象の経済的価値情報を、より高い経済的価値の当選対象に対する抽選の抽選権として賭けるために、このような処理を行うのである。また、「前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なう」とは、抽選が落選になるか、抽選が途中で中止とされるか、抽選参照情報の中で最大の経済的価値情報を有する当選対象が当選するか、のいずれかにより一旦開始された抽選が終了することを表している。それ以外の場合（抽選に当選していく場合）は、前記（２）ステップにおいて更に経済的価値が高い当選対象の抽選へと移行していくのである（（２）から（９）までのステップを繰り返し行なう）。
【００５０】
以上の解釈は、以下の発明についても適用される。
【００５１】
本発明に係る抽選補助システムは、上記情報を記憶装置に格納し、上記処理をコンピュータが実行することにより、複数の当選対象を有する抽選において、「経済的価値情報」を基準として段階的に抽選を行なうことができ、かつ、抽選の当選・落選による抽選主催者の収支変動を抑える事ができる等の上記効果を得ることができるのである。すなわち、複数の当選対象のうち「経済的価値情報」が低い当選対象から抽選することができるため、抽選利用者には徐々に当選対象が豪華になる期待感を与え、抽選事業者には事業リスクを大幅に抑えるという、従来の技術と比較した顕著な効果を有する。例えば、１の「抽選権数量情報」が初期値で、「抽選参照情報」には１００と５００と１０００の「経済的価値情報」を有する当選対象がある場合、１００の「経済的価値情報」が当選し、５００の「経済的価値情報」が当選した後に、１０００の「経済的価値情報」の抽選が行なわれるため、最初に１の「抽選権数量情報」を賭けて１００、５００、１０００と3連続で当選したとしても、事業者のマイナスは最大９９９となる。もし、１００と５００と１０００の「経済的価値情報」を有する当選対象について個別に抽選を行なうとすると、最悪の場合、事業者のマイナスは９９と４９９と９９９の合計、すなわち最大１５９７となる。このように、複数の当選対象を有する宝くじの抽選や、複数の賞品を有する懸賞の抽選等に本発明は非常に有益である。
【００５２】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の当選目標である目標経済的価値情報を受付ける抽選受付システムと、前記抽選を実行して当該抽選の当落を決定する抽選実行システムと、コンピュータ通信が可能な抽選補助システムである。また、当該抽選補助システムは、情報を記憶する記憶装置と、当該記憶装置を制御するコンピュータと、を備えている。更に、当該抽選補助システムの記憶装置は、未抽選である数量を表す未抽選数量情報と未当選である数量を表す未当選数量情報とに前記経済的価値を表す経済的価値情報を関連付けた抽選参照情報と、前記抽選権の数量の初期値を表す抽選権数量情報と、を記憶している。また、当該抽選補助システムは、前記コンピュータが、（１）前記抽選受付システムから前記目標経済的価値情報を受信すると、当該受信した目標経済的価値情報から経済的価値情報を取得するステップと、（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、（５）この算出した当選確率を前記抽選実行システムに送信するステップと、（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、（７）当該（６）ステップにおいて受信した抽選の当落結果が、当選であるか否かを判定するステップと、（８）前記（１）ステップにおいて取得した経済的価値情報と、前記（２）ステップにおいて読み出した論理レコードにおける経済的価値情報と、が同一であるか否かを判定するステップと、（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装��に格納するステップと、（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、を実行することを特徴としている。
【００５３】
ここで、「抽選の当選目標である目標経済的価値情報」とは、最終的な当選対象となる「経済的価値情報」を、抽選受付システムから指定することができることを表している。すなわち抽選受付システム別に、最終的な当選対象が異なる場合にも対応できるのである。また、「「前記記憶装置に記憶されている抽選権数量情報<当該論理レコードに関連付いている経済的価値情報≦前記（１）ステップにおいて取得した経済的価値情報」の条件を満たす一の論理レコード」とは、抽選権数量の初期値又は現在値である「抽選権数量情報」よりも大きく、最終的な当選対象となる「目標経済的価値情報」以下である「経済的価値情報」が関連付いている当選対象を取得していくことにより、段々と経済的価値が高い当選対象に抽選を移行させていくためである。そして、抽選利用者が「目標経済的価値情報」の抽選に当選するか、又は途中の当選対象において落選することにより、抽選は終了となる。
【００５４】
以上の解釈は、以下の発明についても適用される。
【００５５】
本発明に係る抽選補助システムは、上記情報を記憶装置に格納し、上記処理をコンピュータが実行することにより、複数の当選対象を有する抽選において、最終的な当選対象となる「目標経済的価値情報」を、抽選毎に変化させることができるのである。すなわち、抽選利用者が抽選受付システムから「目標経済的価値情報」を指定したり、あるいは予め個々の抽選受付システムに「目標経済的価値情報」を設定したりすることが可能である。これにより、複数の当選対象のうち「経済的価値情報」が低い当選対象から抽選することができ、かつ最終的な当選対象となる「目標経済的価値情報」を、柔軟に変更することが可能になるという顕著な効果を奏する。例えば、１の「抽選権数量情報」が初期値で、「抽選参照情報」には１００と５００と１０００の「経済的価値情報」を有する当選対象がある場合、ある抽選においては５００を「目標経済的価値情報」とし、また他の抽選においては１０００を「目標経済的価値情報」とすることにより、「抽選参照情報」の１００と５００の「経済的価値情報」を共有することができる。これにより、抽選利用者の意思を尊重しつつ、抽選事業者のリスクを軽減できるため、複数の当選対象を有する宝くじの抽選や、複数の賞品を有する懸賞の抽選等に本発明は非常に有益である。
【００５６】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の開始を指示する抽選開始情報を受付ける抽選受付システムと、前記抽選を実行して当該抽選の当落を決定する抽選実行システムと、コンピュータ通信が可能な抽選補助システムである。また、当該抽選補助システムは、情報を記憶する記憶装置と、当該記憶装置を制御するコンピュータと、を備えている。また、当該抽選補助システムの記憶装置は、未抽選である数量を表す未抽選数量情報と未当選である数量を表す未当選数量情報とに前記経済的価値を表す経済的価値情報を関連付けた抽選参照情報と、前記抽選権の数量の初期値を表す抽選権数量情報と、を記憶している。また、当該抽選補助システムは、前記コンピュータが、（１）前記抽選受付システムから前記抽選開始情報を受信すると、当該抽選の当選目標である目標経済的価値情報を決定するステップと、（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて決定した目標経済的価値情報」の条件を満たす一の論理レコードを読み出すステップと、（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、（５）この算出した当選確率を前記抽選実行システムに送信するステップと、（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、（７）当該（６）ステップにおいて受信した抽選の当落結果が、当選であるか否かを判定するステップと、（８）前記（１）ステップにおいて決定した目標経済的価値情報と、前記（２）ステップにおいて読み出した論理レコードにおける経済的価値情報と、が同一であるか否かを判定するステップと、（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納す��ステップと、（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、を実行することを特徴としている。
【００５７】
ここで、「当該抽選の当選目標である目標経済的価値情報を決定する」とは、最終的な当選対象となる「目標経済的価値情報」を、「抽選参照情報」に存在する「経済的価値情報」のうちから本発明に係る抽選補助システムがランダムに決定することを意味している。そして、当該決定された「目標経済的価値情報」の抽選に当選するか、あるいは途中の「経済的価値情報」の抽選で落選するかにより、抽選は終了する。
【００５８】
以上の解釈は、以下の発明についても適用される。
【００５９】
本発明に係る抽選補助システムは、上記情報を記憶装置に格納し、上記処理をコンピュータが実行することにより、複数の当選対象を有する抽選において、最終的な当選対象となる「経済的価値情報」を、抽選毎に変化させることができるのである。すなわち、ランダムに「目標経済的価値情報」が決定されるため、より一層抽選利用者の興趣をそそることができるのである。また、上記発明と同様に、複数の当選対象のうち「経済的価値情報」が低い当選対象から抽選するため、事業者のリスクを軽減する事ができる。
【００６０】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選の当選対象を特定する当選対象情報を受付ける抽選受付システムと、前記抽選を実行して当該抽選の当落を決定する抽選実行システムと、コンピュータ通信が可能な抽選補助システムである。また、当該抽選補助システムは、情報を記憶する記憶装置と、当該記憶装置を制御するコンピュータと、を備えている。また、当該抽選補助システムの記憶装置は、前記抽選の当選対象を特定する当選対象情報と未抽選である数量を表す未抽選数量情報と未当選である数量を表す未当選数量情報とに前記経済的価値を表す経済的価値情報を関連付けた抽選参照情報と、前記抽選権の数量の初期値を表す抽選権数量情報と、を記憶している。更に、当該抽選補助システムは、前記コンピュータが、（１）前記抽選受付システムから前記当選対象情報を受信すると、当該受信した当選対象情報に対応する前記経済的価値情報を前記記憶装置に記憶されている前記抽選参照情報から取得するステップと、（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、（５）この算出した当選確率を前記抽選実行システムに送信するステップと、（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、（７）当該（６）ステップにおいて受信した抽選の当落結果が、当選であるか否かを判定するステップと、（８）前記（１）ステップにおいて取得した経済的価値情報と、前記（２）ステップにおいて読み出した論理レコードにおける経済的価値情報と、が同一であるか否かを判定するステップと、（９）前記（７）ステップの判定結果が当選であり、かつ前記（８）ステップの判定結果が同一でない場合に、前記（２）ステップにおいて読み出した抽選参照情報の論理レコードから前記経��的価値情報を取得し、当該取得した経済的価値情報を新たな抽選権数量情報として前記記憶装置に格納するステップと、（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、を実行することを特徴としている。
【００６１】
ここで、「抽選参照情報」は、抽選の対象となる経済的価値ごとに未抽選数量情報と未当選数量情報と当選対象情報とが関連付いている情報であり、これにより賞品等を抽選の当選対象とすることができる。また、「前記抽選受付システムから前記当選対象情報を受信すると、当該受信した当選対象情報に対応する前記経済的価値情報を前記記憶装置に記憶されている前記抽選参照情報から取得する」とは、抽選受付システムが指定する当選対象情報に関連付いている経済的価値情報を取得することにより、最終的な当選対象となる「経済的価値情報」が決定されるからである。当該取得した「経済的価値情報」をステップ（２）や（８）の条件判断に使用することにより、当選対象が全く異なっている抽選においても、「経済的価値情報」を基準として共通の「抽選参照情報」を使用することができる。
【００６２】
以上の解釈は、以下の発明についても適用される。
【００６３】
本発明に係る抽選補助システムは、上記情報を記憶装置に格納し、上記処理をコンピュータが実行することにより、全く異なる複数の当選対象を有する抽選においても、事業者のリスクを軽減する事ができるのである。例えば、「抽選参照情報」において、「当選対象情報」が「自動車」には「経済的価値情報」が「１０００」、「当選対象情報」が「海外旅行」には「経済的価値情報」が「１００」、「当選対象情報」が「カバン」には「経済的価値情報」が「１０」、と夫々設定されているとする。ここで、抽選受付システムにおいて「当選対象情報」が「自動車」とされた場合、「自動車」が当選するためには、まず「カバン」に当選し、更に「海外旅行」に当選した上で、「自動車」についても当選しなければならない。また、抽選受付システムにおいて「当選対象情報」が「海外旅行」とされた場合、「海外旅行」が当選するためには、まず「カバン」に当選し、更に「海外旅行」に当選しなければならない。このように抽選に段階を設けることにより、「抽選参照情報」を共有し、事業者のリスクを軽減できるため、複数の当選対象を有するプレゼント懸賞の抽選等に本発明は非常に有益である。また同時に、抽選受付システムにおいて抽選利用者が当選対象の選択をできるため、抽選利用者の意思を尊重することができるのである。
【００６４】
また、他の発明に係る抽選補助システムは、前記コンピュータが、前記（７）ステップの判定結果が当選であり、かつ前記（８）ステップの判定結果が同一でない場合に、更に抽選を継続させるか否かを判定する抽選継続判定ステップを行なうことを特徴としている。
【００６５】
ここで、「抽選継続判定ステップ」とは、抽選を継続させるか否かを判定するステップであり、「目標経済的価値情報」や「当選対象情報」により最終的な抽選の対象である「経済的価値情報」が決定されたとしても、抽選利用者は途中で気が変わり、抽選の中止を望む可能性がある。そのため、設けられているものである。この「抽選継続判定ステップ」において、「抽選中止」とされれば、そこで抽選は終了することになる。
【００６６】
以上の解釈は、以下の発明についても適用される。
【００６７】
本発明に係る抽選補助システムは、一旦最終的な抽選の対象である「経済的価値情報」が決定されたとしても、途中で抽選を中止する事ができるため、柔軟な抽選システムの実現が可能である。
【００６８】
また、他の発明に係る抽選補助システムは、抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、前記抽選権の数量を表す抽選権数量情報を受付ける抽選受付システムと、前記抽選を実行して当該抽選の当落を決定する抽選実行システムと、コンピュータ通信が可能な抽選補助システムである。また、当該抽選補助システムは、情報を記憶する記憶装置と、当該記憶装置を制御するコンピュータと、を備えている。更に、当該抽選補助システムの記憶装置は、未抽選である数量を表す未抽選数量情報と未当選である数量を表す未当選数量情報とに前記経済的価値を表す経済的価値情報を関連付けた抽選参照情報と、前記抽選権の数量を表す前記抽選権数量情報と、を記憶している。また、当該抽選補助システムは、前記コンピュータが、（１）前記抽選受付システムから前記抽選権数量情報を受信すると、当該受信した抽選権数量情報を前記記憶装置に格納するステップと、（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、（５）この算出した当選確率を前記抽選実行システムに送信するステップと、（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、（７）当該（６）ステップにおいて受信した抽選の当落結果が、当選であるか否かを判定するステップと、（８）前記（７）ステップの判定結果が当選である場合に、更に抽選を継続させるか否かを判定する抽選継続判定ステップと、（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、（１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、を実行することを特徴としている。
【００６９】
本発明に係る抽選補助システムは、「抽選権数量情報」を抽選受付システムから受付けるため、抽選ごとに柔軟に抽選権数量を変化させることができるのである。これにより、抽選権数量をまとめて抽選に賭けたいという抽選利用者の意思を尊重することができる。
【００７０】
また、他の発明に係る抽選補助システムは、前記コンピュータが、前記記憶装置に記憶されている抽選参照情報において、全ての論理レコードの前記未抽選数量情報が「未抽選数量≦０」となった場合、前記抽選の受付を終了するステップと、を実行することを特徴としている。
【００７１】
ここで、「前記記憶装置に記憶されている抽選参照情報において、全ての論理レコードの前記未抽選数量情報が「未抽選数量≦０」となった場合、前記抽選の受付を終了する」とは、全ての「未抽選数量情報」が０以下になった抽選参照情報は抽選主催者にとってそれ以上抽選を行なう必要がないことを表している。そのため、抽選補助システムが抽選の受付を終了するステップを行なうのである。具体的には、抽選補助システムが抽選受付システムに抽選を受付なくするように受付終了命令を送信することや、抽選受付システムから抽選開始情報等を受信した場合に、抽選補助システムが抽選の受付を終了したことを知らせる情報を抽選受付システムに送信する事等が該当する。
【００７２】
以上の解釈は、以下の発明についても適用される。
【００７３】
これにより、複数の当選対象が存在し、抽選権数量情報を変更する事ができる抽選においても、本発明に係る抽選補助システムを使用する事により、抽選の当選・落選による抽選主催者の収支変動を抑える事ができる等の上記効果を得ることができるのである。例えば、宝くじの抽選として、１以上の経済的価値を「抽選権の対価」として１００分の１の確率で５０の経済的価値が１０回当選する抽選を行ないたいとする。そうすると、本発明に係る抽選補助システムの記憶装置の「未抽選数量情報」を１０００とし「未当選数量情報」を１０とすることにより、当該抽選の実現が可能となるのである。すなわち、「未抽選数量≦０」となった場合、本発明に係る抽選補助システムが受付を終了させるからである。これにより、宝くじ等の、抽選を一旦中断する必要のある抽選事業についても、本発明に係る抽選補助システムを適応させることができる。
【００７４】
また、他の発明に係る抽選補助システムは、前記コンピュータが、前記記憶装置に記憶されている抽選参照情報において、前記未抽選数量情報が「未抽選数量≦０」となった論理レコードについて、当該未抽選数量情報と当該未抽選数量情報に関連付いている前記未当選数量情報と、を初期化するステップと、を実行することを特徴としている。
【００７５】
ここで、「前記コンピュータが、前記記憶装置に記憶されている抽選参照情報において、前記未抽選数量情報が「未抽選数量≦０」となった論理レコードについて、当該未抽選数量情報と当該未抽選数量情報に関連付いている前記未当選数量情報と、を初期化する」とは、全ての「未抽選数量情報」が０以下になった抽選参照情報は抽選主催者にとって抽選の単位として１サイクルが終了したことを表しているため、継続的な抽選を行なうために抽選補助システムが、未抽選数量情報と当該未抽選数量情報に関連付いている前記未当選数量情報とを初期化するステップを行なうのである。
【００７６】
具体的には、「未抽選数量≦０」となった未抽選数量情報と、当該未抽選数量情報に関連付いている前記未当選数量情報と、を抽選者が未だ一回も抽選を行なっていない初期状態の数値に変更することがある。例えば、１以上の経済的価値を「抽選権の対価」として１００分の１の確率で５０の経済的価値が１回当選する抽選において、抽選前の状況が、「未抽選数量情報」が１であり「未当選数量情報」が１である場合があるとする。つまり、「未抽選数量情報」が９９に相当する抽選が既に行なわれ、１回も当選が出なかった場合である。この場合は、「未抽選数量情報」＝「未当選数量情報」＝１であるため、抽選を行なった場合は１／１の確率、すなわち１００％当選する。そうすると、上記コンピュータは「未抽選数量情報」が「０」になるため（同時に「未当選数量情報」も「０」になる）、「未抽選数量情報」を初期値の「１００」に設定し、「未当選数量情報」を初期値の「１」に設定するのである。
【００７７】
以上の解釈は、以下の発明についても適用される。
【００７８】
これにより、一の当選対象についての抽選を何度でも繰り返し行なうことができるため、抽選主催者の収支変動を抑えることができる等の上記効果を得ることができる抽選を、継続的に実施することができるのである。例えば、１の経済的価値を「抽選権の対価」として１００分の１の確率で５０の経済的価値が１回当選する抽選の場合、「未抽選数量情報」の初期値を「１００」、「未当選数量情報」の初期値を「１」とすれば、継続的に実施することができるのである。よって、抽選事業者にとって手間が少ないため、宝くじの抽選等の定型的な抽選にとっては特に顕著な効果を奏する。
【００７９】
また、他の発明に係る抽選補助システムは、前記記憶装置が更に、前記経済的価値情報に関連付けた前記抽選の当選対象を特定する当選対象情報を記憶している。また、当該抽選補助システムは、前記コンピュータが、前記抽選に当選した抽選利用者に対して、その当選した経済的価値情報に関連付いた前記当選対象情報を前記記憶装置から取得し、当選対象を特定するステップと、を実行することを特徴としている。
【００８０】
このように、経済的価値情報に関連づいた当選対象情報を記憶装置に記憶しているため、抽選の当選者に対して、貨幣や企業等が発行するポイント等の経済的価値を直接払い出さずに、例えば「自動車」や「海外旅行」等の賞品等の当選対象を提供することができるのである。これにより、抽選利用者にとって魅力ある抽選システムの構築が可能となる。
【００８１】
また、他の発明に係る抽選補助システムは、前記記憶装置が更に、前記経済的価値情報に関連付けた前記抽選の当選対象を特定する当選対象情報を記憶している。また、当該抽選補助システムは、前記コンピュータが、前記抽選に当選した抽選利用者に対して、当該当選した経済的価値情報に関連付いている前記当選対象情報を全て前記記憶装置から取得し、どの当選対象を選ぶかを前記抽選利用者に選択させる当選対象選択情報を前記抽選受付システムに送信するステップと、の送信した当選対象選択情報に対する前記抽選受付システムからの選択決定情報を受信し、前記当選対象を特定するステップと、を実行することを特徴としている。
【００８２】
ここで、「当選対象選択情報」とは、ある経済的価値情報に関連付いている複数の当選対象情報のうちから１の当選対象を抽選利用者に選択させる情報であり、例えば、複数の当選対象情報のうちからラジオボタンにより１の当選対象を選択できるように構成されているようなものである。また、「選択決定情報」とは、「当選対象選択情報」に抽選利用者がどの当選対象を選択するかの選択決定が付加された情報であり、例えば、上記ラジオボタンの１が選択された状態が該当する。
【００８３】
このように、１の経済的価値情報に関連づいた当選対象情報が複数ある場合においても、「当選対象選択情報」により抽選利用者に当選対象を選択させることにより、抽選利用者の意思を適切に反映することができるのである。例えば、電子メールでの広告等に懸賞抽選サービスが付加されている場合において、抽選に当選した経済的価値に複数の懸賞（例えば「自動車」や「海外旅行」等）が設定されていても、「選択決定情報」に自己の意思を表示することにより抽選利用者は任意の懸賞を選択することができるのである。
【００８４】
また、他の発明に係る抽選補助システムは、前記記憶装置が更に、前記経済的価値情報に関連付けた前記抽選の当選対象を特定する当選対象情報を記憶している。また、当該抽選補助システムは、前記コンピュータが、前記抽選に当選した抽選利用者に対して、当該当選した経済的価値情報以下の経済的価値情報に関連付いている前記当選対象情報を全て前記記憶装置から取得し、当該当選した経済的価値情報を上限としてどの当選対象の組み合わせを選ぶかを前記抽選利用者に選択させる当選対象選択情報を前記抽選受付システムに送信するステップと、この送信した当選対象選択情報に対する前記抽選受付システムからの選択決定情報を受信し、前記当選対象を特定するステップと、を実行することを特徴としている。
【００８５】
ここで、「当該当選した経済的価値情報を上限としてどの当選対象の組み合わせを選ぶかを前記抽選利用者に選択させる当選対象選択情報」とは、抽選利用者が当選した経済的価値以下の経済的価値に関連付いている当選対象であれば抽選利用者の選択の自由に任せるのが良いため、当該選択をさせるための情報である。例えば、複数の当選対象情報のうちからチェックボックスにより１以上の当選対象を選択できるように構成されているようなものが該当する。また、「選択決定情報」とは、「当選対象選択情報」に抽選利用者がどの当選対象を選択するかの選択決定が付加された情報であり、例えば、上記チェックボックスの１以上がチェックされた状態が該当する。
【００８６】
このように、当選した経済的価値情報以下の経済的価値情報に関連付いている当選対象が存在する場合においても、「当選対象選択情報」により抽選利用者に当選対象を選択させることにより、抽選利用者の意思を適切に反映することができるのである。例えば、１０の経済的価値には当選対象として「カバン」が、５０の経済的価値には当選対象として「海外旅行」が、１００の経済的価値には当選対象として「自動車」が、夫々関連付いているとする。ここで、１００の経済的価値に当選した抽選利用者は、「当選対象選択情報」に自己の意思による当選対象の組み合わせを選択できるのである。すなわち、１の「自動車」を選択することもできるし、あるいは２の「海外旅行」を選択することもできるし、又は５の「カバン」と１の「海外旅行」を選択することもできるのである。これにより、抽選利用者の自由意思を尊重することが可能となる。
【００８７】
また、他の発明に係る抽選補助システムは、前記記憶装置に記憶されている前記抽選参照情報は、当該抽選参照情報の各論理レコードに関連付いている前記経済的価値情報を基準として昇順又は降順にソートされていることを特徴としている。
【００８８】
ここで、上記のように「抽選参照情報」に含まれる当選対象は、「経済的価値情報」を基準にして段階を踏んで抽選が実行されるのであるが、「抽選参照情報」の各論理レコードが「経済的価値情報」を基準として昇順又は降順にソートされていると、新たな当選対象を論理レコードとして追加する場合に非常に便利である。また、昇順又は降順にソートされていると、通常の抽選におけるコンピュータ処理上も負担が少なくなるという顕著な効果を奏する。
【００８９】
また、他の発明に係る抽選補助システムは、前記抽選継続判定ステップは、前記コンピュータが、更に抽選を継続するか否かを前記抽選利用者に選択させる抽選継続選択情報を、前記抽選受付システムに送信するステップと、この送信した抽選継続選択情報に対する前記抽選受付システムからの回答情報を受信し、当該回答情報が抽選継続か否かを判定するステップと、からなることを特徴としている。
【００９０】
ここで、「抽選継続選択情報」とは、ある当選対象に当選した場合、更に抽選を継続するか否かを前記抽選利用者に選択させるものであり、例えば、抽選継続の意思表示ボタンと抽選中止の意思表示ボタンとから構成されているようなものである。また、「回答情報」とは、この「抽選継続選択情報」に対する抽選利用者からの回答を表す情報であり、例えば上記抽選継続の意思表示ボタンと抽選中止の意思表示ボタンとのどちらが選択されたかを表す情報が該当する。
【００９１】
このように、ある当選対象に当選した時点で抽選を継続するか否かを抽選利用者に選択させることにより、抽選利用者は適宜抽選を中止できるため、柔軟な抽選制度の実現が可能である。
【００９２】
また、他の発明に係る抽選補助システムは、前記抽選継続判定ステップは、前記コンピュータが、更に抽選を継続するか否かを抽選継続決定プログラムにより判定させるステップ、からなることを特徴としている。
【００９３】
ここで、「抽選継続判定ステップ」が抽選補助システムに備えられた抽選継続決定プログラムによりランダムに判断されるため、いつ抽選が中止するかが不確定となり、抽選利用者の興趣を一層そそることになる。また、この「抽選継続決定プログラム」は、どのようなアルゴリズムによって抽選の継続又は中止を決定するものであっても良い。
【００９４】
また、他の発明に係る抽選補助システムは、前記コンピュータが、前記（２）ステップにおける、前記記憶装置に記憶されている前記抽選参照情報から一の論理レコードを読み出す際に、条件に該当する論理レコードのうち関連付いている経済的価値情報が最小のレコードを読み出すこと、を特徴としている。
【００９５】
ここで、「前記（２）ステップにおいて、条件に該当する論理レコードのうち関連付いている経済的価値情報が最小のレコードを読み出すこと」により、複数の抽選が行なわれる場合に、共通する経済的価値情報がより多くなるため、事業者のリスクを軽減する事ができる。例えば、１０の経済的価値と、５０の経済的価値と、１００の経済的価値と、５００の経済的価値と、が当選対象として抽選参照情報に存在するとする。この場合、５００の経済的価値を最終目標とすると、必ず、１０と５０と１００との３つの抽選に当選してからでないと５００の抽選が行なわれない。又同様に、１００の経済的価値を最終目標とすると、必ず、１０と５０との２つの抽選に当選してからでないと１００の抽選が行なわれない。このように関連付いている経済的価値情報が最小の論理レコードから抽選を行なっていくことにより、複数の抽選が行なわれる場合に、共通する経済的価値情報がより多くなるのである。
【００９６】
また、他の発明に係る抽選補助システムは、前記記憶装置が、前記抽選参照情報を複数記憶すると共に、前記抽選参照情報と当該抽選参照情報を識別するための抽選参照識別情報とを関連付けて記憶している。また、当該抽選補助システムは、前記コンピュータが、前記抽選受付システムから抽選参照識別情報を受信すると、当該受信した抽選参照識別情報に対応する前記抽選参照情報を前記記憶装置から取得し、当該取得した抽選参照情報を使用して前記各ステップを行うこと、を特徴としている。
【００９７】
このように、抽選参照情報を抽選参照識別情報に関連付けて複数記憶しているため、複数の抽選事業者が本発明に係る抽選補助システムを共用することができる。すなわち、複数の事業者ごとや異なる形態の抽選ごとに抽選参照情報を記憶しておく事により、プラットフォームとしての１の抽選補助システムをシェアリングすることができるのである。これにより、各事業者の運営コストを削減することができる。
【００９８】
また、他の発明に係る抽選補助システムは、前記記憶装置が更に、事業者を識別するための事業者識別情報に事業者累積情報を関連付けて記憶している。また、当該抽選補助システムは、前記コンピュータが、前記（１）ステップにおいて前記抽選受付システムから情報を受信すると、当該情報に含まれている前記事業者識別情報に対応する前記事業者累積情報を、前記記憶装置から読み出ステップと、この読み出した事業者累積情報に前記抽選権数量情報に応じた加算処理を行い、前記記憶装置に格納するステップと、を実行することを特徴としている。
【００９９】
ここで、「事業者累積情報」とは、事業者ごとに抽選事業から生み出される利益をどれだけ受けれるか利益実績を表す情報であり、例えば、複数の抽選受付システムが存在する場合に抽選受付システムごとに「事業者識別情報」を割当てたり、同一の抽選参照情報を複数の抽選事業者でシェアして利用する場合に当該抽選事業者ごとに「事業者識別情報」を割当てること等により利用される。そして、抽選を行なう数量である抽選権数量情報に応じて「事業者累積情報」を加算処理することにより、事業者ごとの利益実績情報を更新していくのである。
【０１００】
このように、事業者毎に「事業者累積情報」を保有する事により、全体として抽選利用者が行なった抽選全体のうち、事業者ごとの寄与分が明確になるのである。すなわち、１の抽選事業における各事業者ごとの寄与分（事業における利益分配の基礎データとして使用できる）が明確になるのである。
【０１０１】
また、他の発明に係る抽選補助システムは、前記記憶装置が更に、前記抽選権の種別を識別する抽選権識別情報に抽選権価値変換情報を関連付けて記憶している。また、当該抽選補助システムは、前記コンピュータが、前記（１）ステップにおいて前記抽選受付システムから情報を受信すると、当該情報に含まれている前記抽選権識別情報に対応する前記抽選権価値変換情報を、前記記憶装置から読み出ステップと、この読み出した抽選権価値変換情報に基づいて前記抽選権数量情報を変換するステップと、を実行することを特徴としている。
【０１０２】
ここで、「抽選権価値変換情報」とは、抽選権数量情報を補正するための情報であり、例えば「０．５」や「０．８」等の数値が該当する。この「抽選権価値変換情報」の使用方法としては、「抽選権数量情報」が「１０」であり「抽選権価値変換情報」が「０．７」である場合、当該「１０」と「０．７」とを乗算して新たな「抽選権数量情報」である「７」を算出する。すなわち、「抽選権価値変換情報」は「抽選権数量情報」に数値補正をするための情報なのである。
【０１０３】
ある事業者が「１」の抽選権数量を日本円で１００円で販売しているとする。ここで、他の事業者は「０．５」の抽選権数量を日本円で１００円で販売したいとすると、抽選利用者にとっては明らかに当該「他の事業者」で購入する事が不利となることが分かってしまう。このような場合に、当該他の事業者は「０．５」の「抽選権価値変換情報」が関連付いている「抽選権識別情報」を情報として含んだ「１」の抽選権数量を販売すると、当該「１」の抽選権数量は「０．５」の「抽選権価値変換情報」により「０．５」の抽選権数量となる。そのため、抽選事業者にとり、一見してどの事業者が有利かを判別されないという利点がある。
【０１０４】
また同様に、パチンコやスロットマシン等の遊技機は、当選確率の設定を一定範囲で変更する機能を有しているが、設定１や設定５等の当選確率の設定識別情報を上記「抽選権識別情報」とすることができる。すなわち、当選確率の設定が高い「抽選権識別情報」については関連付いている「抽選権価値変換情報」を高くし、当選確率の設定が低い「抽選権識別情報」については関連付いている「抽選権価値変換情報」を低くすることにより、当選確率の設定が異なる遊技機（抽選受付システム）が同一の抽選参照情報を利用する事ができるという顕著な効果を奏する。例えば、「抽選権価値変換情報」が「１」である「抽選権識別情報」と、「抽選権価値変換情報」が「０．２５」である「抽選権識別情報」とは、同じ「１」の抽選権数量により抽選を行なった場合であっても当選確率が４倍も異なるのである。
【０１０５】
また、他の発明に係る抽選補助プログラムは、抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムである。また、当該抽選補助システムは、情報を記憶する記憶装置と、当該記憶装置を制御するコンピュータと、を備えており、前記記憶装置は、未抽選である数量を表す未抽選数量情報と未当選である数量を表す未当選数量情報とに前記経済的価値を表す経済的価値情報を関連付けた抽選参照情報を記憶し、前記抽選参照情報は、各論理レコードに関連付いている前記経済的価値情報の昇順又は降順にソートされている。そして、当該抽選補助プログラムは、前記コンピュータに、（１）あるコンピュータから前記経済的価値情報と前記未抽選数量情報とを含む前記抽選参照情報へのデータ登録要求を受信すると、当該データ登録要求に含まれる経済的価値情報と未抽選数量情報とを取得するステップと、（２）この取得した経済的価値情報に基づいて、前記記憶装置に記憶されている抽選参照情報に当該取得した経済的価値情報と未抽選数量情報とをデータ登録するステップと、を実行させることを特徴とする。
【０１０６】
ここで、「抽選参照情報へのデータ登録要求」とは、インターネット懸賞等の抽選システムにおていは、頻繁に当選対象たる賞品が変更されるため、新たな当選対象を抽選参照情報に追加する必要があるため生じるものである。そして、当該データ登録要求には、少なくとも経済的価値情報と未抽選数量情報と未当選数量情報とが含まれており、当該経済的価値情報を基準として「抽選参照情報」にデータ登録される。例えば１００と１０００という２つの経済的価値情報が既に「抽選参照情報」に存在し、ここに経済的価値情報が「５００」である当選対象をデータ登録する際には、１００と１０００との間の位置にデータ登録されるという意味である。
【０１０７】
以上の解釈は、以下の発明についても適用される。
【０１０８】
このように、抽選補助プログラムが抽選参照情報に新たな当選対象をデータ登録する事により、抽選事業者にとって柔軟な抽選運営が可能となる。すなわち、当選対象を柔軟に変更する事が可能である。
【０１０９】
また、他の発明に係る抽選補助プログラムは、抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムである。また、当該抽選補助システムは、情報を記憶する記憶装置と、当該記憶装置を制御するコンピュータと、を備えており、前記記憶装置は、前記抽選の当選対象を特定する当選対象情報と未抽選である数量を表す未抽選数量情報と未当選である数量を表す未当選数量情報とに前記経済的価値を表す経済的価値情報を関連付けた抽選参照情報を記憶し、前記抽選参照情報は、各論理レコードに関連付いている前記経済的価値情報の昇順又は降順にソートされている。そして、当該抽選補助プログラムは、前記コンピュータに、（１）あるコンピュータから前記経済的価値情報と前記未抽選数量情報と前記当選対象情報とを含む前記抽選参照情報へのデータ登録要求を受信すると、当該データ登録要求に含まれる経済的価値情報と未抽選数量情報と当選対象情報とを取得するステップと、（２）この取得した経済的価値情報に基づいて、前記記憶装置に記憶されている抽選参照情報に当該取得した経済的価値情報と未抽選数量情報と当選対象情報とをデータ登録するステップと、を実行させることを特徴とする。
【０１１０】
ここで、「抽選参照情報」に当選対象情報が含まれているため、賞品等の当選対象を抽選参照情報にデータ登録する事ができる。これにより、抽選事業者にとって柔軟な抽選運営が可能となる。
【０１１１】
また、他の発明に係る抽選補助プログラムは、抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムである。また、当該抽選補助システムは、情報を記憶する記憶装置と、当該記憶装置を制御するコンピュータと、を備えており、前記記憶装置は、未抽選である数量を表す未抽選数量情報と未当選である数量を表す未当選数量情報とに前記経済的価値を表す経済的価値情報を関連付けた抽選参照情報を記憶すると共に、前記経済的価値情報に前記抽選の当選対象を特定する当選対象情報を関連付けた当選対象参照情報を記憶し、前記抽選参照情報は、各論理レコードに関連付いている前記経済的価値情報の昇順又は降順にソートされている。そして、当該抽選補助プログラムは、前記コンピュータに、（１）あるコンピュータから前記経済的価値情報と前記当選対象情報とを含む前記当選対象参照情報へのデータ登録要求を受信すると、当該データ登録要求に含まれる経済的価値情報と当選対象情報とを取得するステップと、（２）この取得した経済的価値情報に基づいて、前記記憶装置に記憶されている当選対象参照情報に当該取得した当選対象をデータ登録するステップと、を実行させることを特徴とする。
【０１１２】
ここで、「抽選参照情報」とは別に、経済的価値情報と当選対象情報とを関連付けた当選対象参照情報を記憶装置に記憶しているため、１の経済的価値情報に対して複数の賞品等の当選対象を割当てる抽選システムの構築が可能である。例えば、１０００の経済的価値が当選すると、「自動車」という当選対象を選択することもできるし、「海外旅行」という当選対象を選択することもできるという抽選システムが実現できる。
【０１１３】
また、他の発明に係る記録媒体は、未抽選である数量を表す未抽選数量情報と未当選である数量を表す未当選数量情報とに経済的価値を表す経済的価値情報を記録媒体上のポインタにより関連付けた抽選参照情報を記録していることを特徴とする。
【０１１４】
本発明は以上説明してきた抽選参照情報を、記憶しておくための記録媒体である。当該抽選参照情報は単なるデータではなく、コンピュータが上記抽選処理を行う為に必須のデータ構造を有しているため、コンピュータが行なう処理の内容を特定する情報であるといえる。
【０１１５】
また、他の発明に係る記録媒体は、抽選の当選対象を特定する当選対象情報と未抽選である数量を表す未抽選数量情報と未当選である数量を表す未当選数量情報とに経済的価値を表す経済的価値情報を記録媒体上のポインタにより関連付けた抽選参照情報を記録していることを特徴とする。
【０１１６】
当該抽選参照情報は、更に当選対象情報を含んでいるため、賞品等の当選対象を採用した抽選システムが可能となる。当該抽選参照情報も単なるデータではなく、コンピュータが上記抽選処理を行う為に必須のデータ構造を有しているため、コンピュータが行なう処理の内容を特定する情報であるといえる。
【０１１７】
以上の各構成により、上記課題を解決する。
【発明の効果】
【０１１８】
これによると、抽選利用者の意思を反映し、かつ抽選事業者が安定的に収益をあげられるような抽選を実施することが可能になる。すなわち、抽選利用者がすぐに抽選の結果を知ることができ、目的とする賞金・商品等を指定でき、かつ抽選事業者が安定的な収益をあげることができ、事業者の手間の負担も大きくないというような、理想的な抽選を実現することができるという、従来にない優れた抽選システムを提供することができる。
【発明を実施するための最良の形態】
【０１１９】
以下、本発明の実施の形態について、図１から図９を用いて説明する。
【０１２０】
図１は、本発明に係る抽選補助システムを含む抽選システム全体の構成図である。ここで、抽選システムは、抽選補助システム１と抽選受付システム２と抽選実行システム３とから構成されており、各システムは通信ネットワーク４を介して接続している。
【０１２１】
抽選補助システム１は、主として抽選において当選確率を算出する役割を担うコンピュータシステムである。また、抽選受付システム２は、抽選利用者から抽選開始の指示を受付けるコンピュータシステムである。また、抽選実行システム３は、抽選補助システム１が算出した当選確率に基づいて、抽選が当選か落選であるかを決定するコンピュータシステムである。また、通信ネットワーク４は、例えば、インターネット、電話回線、無線通信回線、フレームリレー、バス等が該当する。このように、抽選システムは、抽選受付システム２において抽選の開始を受付け、抽選補助システム１が当該抽選における当選確率の算出等を行い、その当選確率に基づき抽選実行システム３が当選か落選かを決定するという構成を採用している。
【０１２２】
次に、図２に基づいて上記抽選補助システム１の構成について説明する。同図に示すように抽選補助システム１は、コンピュータ１１と記憶装置１２と入出力装置１３と通信インターフェース１４とから構成されており、夫々はバス等により接続されている。記憶装置１２は、抽選参照情報１２ａと当選対象参照情報１２ｂと事業者累積情報１２ｃと抽選参照識別情報１２ｄと抽選権価値変換情報１２ｅとを備えており、当該各情報はファイルやＤＢ等により記憶装置１２上に論理的に実現されている。また、当該記憶装置１２は、抽選補助処理を実行するための抽選補助プログラム１２ｆを備えており、当該プログラムはファイル等の形式により記憶装置１２上に論理的に実現されている。
【０１２３】
この記憶装置１２は、例えば、ＲＯＭ、ＲＡＭ、ＨＤＤ等が該当する。また、コンピュータ１１は、ＣＰＵ等が該当する。また、通信インターフェース１４の例としては、ＮＩＣ、ＵＳＢ、ＲＳ−２３２Ｃ等が該当する。そして、このコンピュータ１１が、上記通信インターフェース１４を介して他のシステムからデータを受信或いは他のシステムにデータを送信し、上記記憶装置１２にデータを格納或いは取得し、当該受信・取得したデータを加工することにより、抽選補助システム１は動作するのである。実際には、コンピュータ１１が上記記憶装置１２に格納されている抽選補助プログラム１２ｆを読み出し、解釈して実行する事により、抽選補助システム１はそのような動作を行なうことができる。
【０１２４】
さらに具体的な上記抽選補助システム１の構成の一例を図３に示す。この抽選補助システム１は同図に示すように、ＮＩＣ２１と、ディスプレイ２２と、メモリ２４と、キーボード等２５と、ハードディスク２６と、これらを制御するＣＰＵ２３とから構成されている。これら各構成要素はバス２７により接続されており、相互に通信を行えるように構成されている。また、ハードディスク２６には、抽選参照情報２６ａと、当選対象参照情報２６ｂと、事業者累積情報２６ｃと、抽選参照識別情報２６ｄと、抽選権価値変換情報２６ｅと、ＣＰＵ２３に抽選補助処理を実行させる抽選補助プログラム２６ｆとを、ファイルやデータベースの形式により記憶している。ここで、図２と図３の各構成要素の対応関係としては、コンピュータ１１はＣＰＵ２３が、記憶装置１２はハードディスク２６とメモリ２４が、入出力装置１３はキーボード等２５とディスプレイ２２とが、通信インターフェース１４はＮＩＣ２１が夫々対応している。
【０１２５】
そして、ＣＰＵ２３が、抽選補助プログラム２６ｆや各情報２６ａ〜ｅを、ハードディスク２６からメモリ２４に読み込むことにより、プログラムやデータを解釈・実行する。また、プログラムの実行結果等を表示する際には、ＣＰＵ２３が当該実行結果をディスプレイ２２に表示することにより行う。更に、利用者からの指示命令は、キーボード等２５を介してＣＰＵ２３が受け付ける。ここで、キーボード等２５は、コンピュータシステムに一般的に使用されているマウス等を含む入力装置を意味している。また、ディスプレイ２２は、ＣＲＴディスプレイや液晶ディスプレイ等の出力装置である。
【０１２６】
続いて、図４に基づいて上記抽選補助システム１が有する記憶装置１２に格納されている抽選参照情報１２ａのデータ構造について説明する。同図に示すように、抽選参照情報１２ａは、「経済的価値情報」項目に、「未抽選数量情報」と「未当選数量情報」と「未抽選数量初期値」と「未当選数量初期値」という各項目が関連付いたデータ構造であり、各論理レコードに関連付いている「経済的価値情報」を基準としてソートされている。これは、抽選処理にあたって、「経済的価値情報」を基準としてソートされていると、処理効率が飛躍的に高まるためである。ここで、「経済的価値情報」、「未抽選数量情報」、「未当選数量情報」の各項目については上記に説明したためここでは説明を省略する。「未抽選数量初期値」とは、「未抽選数量情報」が「未抽選数量≦０」となった時に、当該「未抽選数量情報」を初期化するために使用する値である。また、「未当選数量初期値」とは、「未当選数量情報」を初期化するために使用する値である。この、「経済的価値情報」、「未抽選数量情報」、「未当選数量情報」、「未抽選数量初期値」、「未当選数量初期値」の各項目の数値単位はある特定の「経済的価値」を数量単位としている。例えば、日本円やアメリカドル等の貨幣や、企業等が自己の信用を背景に発行するポイントサービス等の「経済的価値」である。このように、抽選参照情報１２ａは、抽選の対象となる「経済的価値情報」ごとに、「未抽選数量情報」と「未当選数量情報」と「未抽選数量初期値」と「未当選数量初期値」という各項目が関連付いているデータ構造であるため、抽選の対象となる「経済的価値情報」の当選確率を算出することができる。
【０１２７】
この図４に示したような抽選参照情報１２ａは、上記抽選補助システム１が有する記憶装置１２に複数（少なくとも１以上）格納されている。これは、抽選事業者ごとに異なるデータ構造の抽選参照情報１２ａを利用した方が便利なこともあるからである。本実施形態では、図４に図示した抽選参照情報１２ａをここでは「抽選参照情報１」とする。
【０１２８】
続いて、図５に基づいて上記抽選補助システム１が有する記憶装置１２に格納されている当選対象参照情報１２ｂのデータ構造について説明する。同図に示すように、当選対象参照情報１２ｂは、「経済的価値情報」項目に、「当選対象情報」項目が関連付いたデータ構造である。ここで、「当選対象情報」については上記に説明したためここでは説明を省略する。このように、当選対象参照情報１２ｂは、抽選の対象となる「経済的価値情報」ごとに、「当選対象情報」が関連付いているデータ構造であるため、当選した「経済的価値情報」によりどのような「当選対象」を得ることができるのかを特定することができる。
【０１２９】
続いて、図６に基づいて上記抽選補助システム１が有する記憶装置１２に格納されている抽選参照識別情報１２ｄのデータ構造について説明する。同図に示すように、抽選参照識別情報１２ｄは、「抽選参照識別情報」項目に、「対象抽選参照情報」項目が関連付いたデータ構造である。上記のように、抽選補助システム１が有する記憶装置１２に格納されている抽選参照情報１２ａは複数存在するため、どの抽選参照情報１２ａを抽選に使用するかが問題となる。この抽選参照情報１２ａを一意に識別するための情報が「抽選参照識別情報」項目に格納されている。また、「対象抽選参照情報」項目には具体的にどの抽選参照情報１２ａであるかを表す情報が格納されている。例えば、「抽選参照識別情報」が「１」であれば、上記図４に示した「抽選参照情報１」が使用されるということを意味している。このように、抽選参照識別情報１２ｄは、「抽選参照識別情報」ごとに「対象抽選参照情報」が関連付いているデータ構造であるため、複数存在する抽選参照情報１２ａのいずれを抽選に使用すればよいかを特定することができる。
【０１３０】
続いて、図７に基づいて上記抽選補助システム１が有する記憶装置１２に格納されている事業者累積情報１２ｃのデータ構造について説明する。同図に示すように、事業者累積情報１２ｃは、「事業者識別情報」項目に、「事業者利得累積情報」項目と「抽選権累積情報」項目とが関連付いたデータ構造である。ここで、複数の事業者が抽選補助システム１を共用する場合があるため、「事業者識別情報」項目により各事業者を特定し、「事業者利得累積情報」項目に各事業者ごとの利益を累積し、「抽選権累積情報」項目に実際に抽選権として使用された分を累積するのである。この「事業者累積情報」項目と「抽選権累積情報」項目も上記抽選参照情報１２ａと同様にある特定の「経済的価値」を数量単位としている。このように、事業者累積情報１２ｃは、「事業者識別情報」ごとに「事業者利得累積情報」と「抽選権累積情報」とが関連付いているデータ構造であるため、過去に行なわれた抽選における各事業者の寄与分を把握することができる。
【０１３１】
続いて、図８に基づいて上記抽選補助システム１が有する記憶装置１２に格納されている抽選権価値変換情報１２ｅのデータ構造について説明する。同図に示すように、抽選権価値変換情報１２ｅは、「抽選権識別情報」項目に、「抽選権価値変換情報」項目が関連付いたデータ構造である。ある事業者が発行した１の抽選権と、又他のある事業者が発行した１の抽選権とを全く同じに扱わない方が良い場合も存在する。例えば、抽選受付システム２で受付けた段階では同じ「抽選権数量」（例えば「４」）であっても、その抽選権の種類が「抽選権Ａ」であれば「４」の抽選権（４×１）として抽選が行なわれるし、その抽選権の種類が「抽選権Ｂ」であれば「２」の抽選権（４×０．５）として抽選が行なわれるのである。すなわち、抽選利用者には見かけ上わからないように抽選権の変換を行なうため、抽選権価値変換情報１２ｅは使用されるのである。ここで、「抽選権価値変換情報」項目により除かれた抽選権数量は、上記「事業者利得累積情報」に事業者の手数料として加算される。このように、抽選権価値変換情報１２ｅは、抽選権の種類を表す「抽選権識別情報」ごとに「抽選権数量」の数値補正を行なうための「抽選権価値変換情報」が関連付いているデータ構造であるため、「抽選権数量」の内部変換を行なうことができるのである。
【０１３２】
次に、本実施形態の抽選システム（抽選補助システム１、抽選受付システム２、抽選実行システム３）の動作を説明する。
【０１３３】
まず、抽選利用者が抽選を行うために、抽選受付システム２に抽選の開始を入力・命令する。この際には、抽選利用者は、当該抽選の当選対象（例えば「自動車」）と当該抽選に自己の有する「抽選権数量」のうちどれだけを賭けるのか（例えば「２」）を、抽選受付システム２に入力する。そして、抽選補助システム１は、抽選受付システム２から通信ネットワーク４を介して抽選開始情報を受信する（Ｓ１）。この際には、抽選補助システム１のコンピュータ１１が通信インターフェース１４を介して抽選開始情報を受信し、記憶装置１２に当該抽選開始情報を保存する。
【０１３４】
ここでいう、抽選開始情報とは、図９に示すようなデータ構造を有する情報であり、当選対象情報と、抽選権数量情報と、抽選権識別情報と、事業者識別情報と、抽選参照識別情報と、から構成され、相互に関連付いている。このうち、当選対象情報と、抽選権数量情報とは先に抽選利用者が指定した内容がそのまま格納されている（例として「自動車」と「２」）。また、抽選権識別情報と、事業者識別情報と、抽選参照識別情報とには、抽選受付システム２に事前に設定された又は抽選受付時に抽選受付システム２が設定した情報が、夫々格納されている。
【０１３５】
この抽選開始情報を抽選補助システム１のコンピュータ１１が受信すると、当該受信した抽選開始情報に含まれる当選対象情報に対応する経済的価値情報の論理レコードを記憶装置１２に記憶されている抽選参照情報１２ａから取得する（Ｓ１）。ここではまず、受信した抽選開始情報に含まれる抽選参照識別情報に対応する抽選参照情報１２ａを特定するために、抽選補助システム１のコンピュータ１１は記憶装置１２から抽選参照識別情報１２ｄを読み出す。そして、コンピュータ１１は受信した抽選開始情報に含まれる抽選参照識別情報（図９においては「１」）に対応する「対象抽選参照情報」を特定する（図６においては「抽選参照情報１」）。これにより、抽選補助システム１のコンピュータ１１は記憶装置１２から特定した抽選参照情報１２ａを読み出す（ここでは図４の抽選参照情報１２ａが該当する）。また、抽選補助システム１のコンピュータ１１は記憶装置１２から当選対象参照情報１２ｂを読み出す。そして、コンピュータ１１は受信した抽選開始情報に含まれる当選対象情報（図９においては「自動車」）に対応する「経済的価値情報」を特定し（図５においては「１０００」）、当該「経済的価値情報」を取得する。
【０１３６】
また、抽選補助システム１のコンピュータ１１は記憶装置１２から抽選権価値変換情報１２ｅを読み出す。そして、コンピュータ１１は受信した抽選開始情報に含まれる抽選権識別情報（図９においては「抽選権Ｂ」）に対応する「抽選権価値変換情報」を特定する（図８においては「０．５」）。コンピュータ１１は、この特定した「抽選権価値変換情報」（「０．５」）と、受信した抽選開始情報に含まれる抽選権数量（図９においては「２」）とを乗じることにより、抽選に適用する新たな抽選権数量を算出する（ここでは、「０．５×２＝１」）。そして、コンピュータ１１はこの算出した抽選権数量により、先に記憶装置１２に保存した抽選開始情報に含まれる抽選権数量情報を更新する。そして、コンピュータ１１は記憶装置１２から事業者累積情報１２ｃを読み出し、受信した抽選開始情報に含まれる事業者識別情報（図９においては「事業者Ｃ」）に対応する「事業者利得累積情報」（図７においては「４００」）に、先に新たな抽選権数量（「１」）を算出する際に控除した抽選券数量（「１」）を加算し（ここでは、「４００＋１＝４０１」）、同時に「抽選権累積情報」（図７においては「１００」）に新たな抽選権数量（「１」）を加算し（１００＋１＝１０１）、記憶装置１２の事業者累積情報１２ｃを更新する。このように、コンピュータ１１が抽選権価値変換情報１２ｅを使用して抽選開始情報に含まれる「抽選権数量」を補正し、抽選に使用される補正後の「抽選権数量」に基づいて事業者累積情報１２ｃを更新することにより、抽選における事業者の寄与分を更新していくことが可能になる。すなわち、抽選権価値変換情報１２ｅにより控除された抽選権数量は抽選実行の手数料として、「事業者利得累積情報」に加算されることにより事業者の利益となる。この抽選権価値変換情報１２ｅは、事業者の利益制度を決定したりすることに使用するのである。
【０１３７】
続いて、抽選補助システム１のコンピュータ１１は、Ｓ１において読み出した抽選参照情報１２ａのうち、関連付いている未抽選数量情報が「未抽選数量≦０」でない論理レコードであり、かつ「記憶装置１２に記憶されている抽選権数量情報<当該論理レコードに関連付いている経済的価値情報≦前記Ｓ１において取得した経済的価値情報」の条件を満たす一の論理レコードを読み出すステップを行なう（Ｓ２）。具体的には、「Ｓ１において読み出した抽選参照情報１２ａのうち、関連付いている未抽選数量情報が「未抽選数量≦０」でない論理レコード」として、図４の抽選参照情報１２ａのうち、関連付いている未抽選数量情報が「未抽選数量≦０」でない論理レコード、すなわち全てのレコードが対象となる。
【０１３８】
また、「記憶装置１２に記憶されている抽選権数量情報」は上記のように、記憶装置１２に「抽選権数量情報」として「１」が記憶されている。また、「前記Ｓ１において取得した経済的価値情報」は上記のように、抽選開始情報に含まれる当選対象情報に対応する「経済的価値情報」として「１０００」を取得している。したがって、「かつ「記憶装置１２に記憶されている抽選権数量情報<当該論理レコードに関連付いている経済的価値情報≦前記Ｓ１において取得した経済的価値情報」の条件を満たす一の論理レコード」とは、「１<当該論理レコードに関連付いている経済的価値情報≦１０００」の条件を満たすレコードが該当することになり、図４の抽選参照情報１２ａのうち１〜３行目のレコードが該当する。
【０１３９】
このＳ２においては、この条件を満たす１〜３行目のどのレコードを読み出してもよいのだが、条件に該当する論理レコードのうち関連付いている経済的価値情報が最小のレコードを読み出すのが良い。そうすることにより、多くの抽選において、経済的価値情報が低いレコードが使用される為、抽選事業者の事業リスクを軽減できるからである。よって、ここでは、コンピュータ１１が、図４の抽選参照情報１２ａの１〜３行目のレコードのうち、経済的価値情報が最小である１行目の「経済的価値情報」が「１００」のレコードを読み出すものとする。
【０１４０】
続いて、抽選補助システム１のコンピュータ１１は、前記Ｓ２において読み出した抽選参照情報１２ａの論理レコードから未抽選数量情報と未当選数量情報とを読み出すと共に、抽選権数量情報を記憶装置１２から読み出すステップを行なう（Ｓ３）。「前記Ｓ２において読み出した抽選参照情報１２ａの論理レコード」は、上記のように図４の抽選参照情報１２ａの１行目であり、当該レコードの「未抽選数量情報」は「７０」であり、「未当選数量情報」は「１」であるため、コンピュータ１１は当該両情報を記憶装置１２から読み出す。また、「抽選権数量情報」は上記のように「１」であるため、コンピュータ１１は当該情報を記憶装置１２から読み出す。
【０１４１】
次に、抽選補助システム１のコンピュータ１１は、当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップを行なう（Ｓ４）。すなわち、コンピュータ１１は、「当該取得した未抽選数量」たる「７０」を分母として、「当該取得した未当選数量」たる「１」と「抽選権数量」たる「１」とを乗算した結果である１（１×１）を分子として、「当選対象の当選確率」たる「７０分の１」を算出するのである。
【０１４２】
続いて、抽選補助システム１のコンピュータ１１は、通信インターフェース１４を介して、この算出した当選確率（７０分の１）を抽選実行システム３に送信するステップを行なう（Ｓ５）。このようにして、抽選補助システム１が算出した当選確率を、通信ネットワーク４を介して抽選実行システム３に送信する。この抽選実行システム３が行う抽選方法については、抽選補助システム１が算出した当選確率に基づいて行われるものであれば、どのような方法を採用しても良い。
【０１４３】
そして、抽選補助システム１のコンピュータ１１は、この送信した当選確率に基づき抽選実行システム３により行なわれた抽選の当落結果を、当該抽選実行システム３から通信インターフェース１４を介して受信し、記憶装置１２に格納されている抽選参照情報１２ａのうち、前記Ｓ２において読み出した抽選参照情報１２ａの論理レコードに対応する未抽選数量情報と未当選数量情報とに対し、前記Ｓ４において取得した抽選権数量に基づいて当該抽選の当落結果を反映するステップを行う（Ｓ６）。すなわち、コンピュータ１１は、「前記Ｓ２において読み出した抽選参照情報の論理レコード」である図４の抽選参照情報１２ａの１行目のレコードの、「未抽選数量情報」である「７０」と「未当選数量情報」である「１」とに対し、「前記Ｓ４において取得した抽選権数量」である「１」に基づいて当該抽選の当落結果を反映するのである。
【０１４４】
ここで、この抽選の当落結果を反映するにあたって、抽選に当選した場合と落選した場合とで、コンピュータ１１が反映する処理が異なる。まず、抽選に当選した場合、コンピュータ１１は、図４の抽選参照情報１２ａの１行目のレコードの「未抽選数量情報」である「７０」から「抽選権数量」である「１」を減算して「６９」に、「未当選数量情報」である「１」から「１」を減算して「０」に（１回当選が出たため）、夫々更新して記憶装置１２に保存する。また、抽選に落選した場合、コンピュータ１１は、図４の抽選参照情報１２ａの１行目のレコードの「未抽選数量情報」である「７０」から「抽選権数量」である「１」を減算して「６９」に更新して、「未当選数量情報」である「１」には変更を加えずに（当選しなかったため）、記憶装置１２に保存する。抽選補助システム１のコンピュータ１１がこのような処理を行うことにより、図４の抽選参照情報１２ａの１行目のレコードである「経済的価値情報」が「１００」の抽選に対する結果を反映することができる。すなわち、「未抽選数量情報」には当該抽選に賭けられた「抽選権数量」が反映され、「未当選数量情報」には当該抽選の当選又は落選の結果が反映されるのである。
【０１４５】
ここでは、説明の都合上、この抽選に当選した事として説明を続けることとする。
【０１４６】
続いて、抽選補助システム１のコンピュータ１１は、Ｓ６において受信した抽選の当落結果が、当選であるか否かを判定するステップを行う（Ｓ７）。抽選に落選した場合は、抽選処理が終了するため、その確認を行うものである。
【０１４７】
次に、抽選補助システム１のコンピュータ１１は、前記Ｓ１において取得した経済的価値情報と、前記Ｓ２において読み出した論理レコードにおける経済的価値情報と、が同一であるか否かを判定するステップを行う（Ｓ８）。すなわち、コンピュータ１１は、「前記Ｓ１において取得した経済的価値情報」である「１０００」と、「前記Ｓ２において読み出した論理レコードにおける経済的価値情報」である「１００」と、が同一であるか判定する。この場合は一見して分かるように同一でないが、同一であればコンピュータ１１はこれ以上抽選を継続する必要がないことを認識するのである。
【０１４８】
そして、抽選補助システム１のコンピュータ１１は、前記Ｓ７の判定結果が当選であり、かつ前記Ｓ８の判定結果が同一でない場合に、更に抽選を継続させるか否かを判定する抽選継続判定ステップを行う（Ｓ８、１）。「前記Ｓ７の判定結果が当選であり、かつ前記Ｓ８の判定結果が同一でない場合」とは、抽選に当選し、かつ当該当選した「経済的価値情報」が最終目的とする「経済的価値情報」でない場合を意味している。ここで、具体的な「抽選継続判定ステップ」の方法としては２つあり、１つは抽選利用者に抽選を継続するか否かを選択させる方法であり、２つめは抽選継続決定プログラムによりランダムに抽選を継続するか否かを決定する方法である。
【０１４９】
１つ目の、抽選利用者に選択させる方法では、コンピュータ１１が、更に抽選を継続するか否かを抽選利用者に選択させる抽選継続選択情報を、通信インターフェース１４を介して抽選受付システム２に送信する。そして、コンピュータ１１は、この送信した抽選継続選択情報に対する抽選受付システム２からの回答情報を通信インターフェース１４を介して受信し、当該回答情報が抽選継続か否かを判定する。この「抽選継続選択情報」とは、例えば抽選継続ボタンと抽選中止ボタンとが配置され、抽選利用者の意思を反映させることができるように構成されているものが該当する。また「回答情報」とは、当該「抽選継続選択情報」に抽選利用者の意思が付加された情報であり、例えば先の抽選継続ボタンと抽選中止ボタンとの何れかが選択された状態が該当する。また、２つ目の、抽選継続決定プログラムによりランダム決定する方法では、コンピュータ１１が記憶装置１２に記憶されている抽選継続決定プログラムを解釈して、実行することによりランダムに抽選継続又は抽選中止を決定するのである。
【０１５０】
このような抽選継続判定ステップにより、抽選利用者の意思を尊重することや、抽選が途中で終了する偶然性を加味することができる。
【０１５１】
そして、この抽選継続判定ステップで抽選継続とされると、抽選補助システム１のコンピュータ１１は、前記Ｓ７の判定結果が当選であり、かつ前記Ｓ８の判定結果が同一でない場合に、前記Ｓ２において読み出した抽選参照情報の論理レコードから経済的価値情報を取得し、当該取得した経済的価値情報を新たな抽選権数量情報として記憶装置１２に格納するステップを行う（Ｓ９）。ここで、「前記Ｓ７の判定結果が当選であり、かつ前記Ｓ８の判定結果が同一でない場合」とは上記の意味である。すなわち、コンピュータ１１は、「前記Ｓ２において読み出した抽選参照情報の論理レコード」である図４の抽選参照情報１２ａの１行目のレコードから「経済的価値情報」である「１００」を取得し、当該取得した「経済的価値情報」である「１００」を新たな「抽選権数量情報」として記憶装置１２に格納するのである。つまり、「経済的価値情報」が「１００」の抽選に当選したため、当該当選した「経済的価値情報」である「１００」を、更に価値が高い「経済的価値情報」の抽選に対する賭け分となる「抽選権数量情報」とするのである。
【０１５２】
そして、抽選補助システム１のコンピュータ１１は、前記Ｓ７の判定結果が当選であり、かつ前記Ｓ８の判定結果が同一でない場合、前記Ｓ７の判定結果が落選になるまで又は前記Ｓ８の判定結果が同一になるまで、前記Ｓ２からＳ９までのステップを繰り返し行なうステップを行う（Ｓ１０）。「前記Ｓ７の判定結果が落選になるまで又は前記Ｓ８の判定結果が同一になるまで」とは、抽選に落選するか、又は当選した「経済的価値情報」が最終目的とする「経済的価値情報」となった場合を意味している。つまり、どちらかに該当するまで抽選は続行するということである。また、先のＳ８、１における「抽選継続判定ステップ」において抽選中止とされた場合も抽選は終了し、その時点で当選している「経済的価値情報」について当選の払い出しが行われることになる。
【０１５３】
ここでは、更に抽選が続行されたものとして説明を続ける。
【０１５４】
続いて、Ｓ１０に指示されているように、再度Ｓ２に処理が戻る。抽選補助システム１のコンピュータ１１は、Ｓ１において読み出した抽選参照情報１２ａのうち、関連付いている未抽選数量情報が「未抽選数量≦０」でない論理レコードであり、かつ「記憶装置１２に記憶されている抽選権数量情報<当該論理レコードに関連付いている経済的価値情報≦前記Ｓ１において取得した経済的価値情報」の条件を満たす一の論理レコードを読み出すステップを行なう（Ｓ２）。具体的には、「Ｓ１において読み出した抽選参照情報１２ａのうち、関連付いている未抽選数量情報が「未抽選数量≦０」でない論理レコード」として、図４の抽選参照情報１２ａのうち、関連付いている未抽選数量情報が「未抽選数量≦０」でない論理レコード、すなわち全てのレコードが対象となる。
【０１５５】
また、「記憶装置１２に記憶されている抽選権数量情報」は上記のように、記憶装置１２に「抽選権数量情報」として「１００」が記憶されている。また、「前記Ｓ１において取得した経済的価値情報」は上記のように、抽選開始情報に含まれる当選対象情報に対応する「経済的価値情報」として「１０００」を取得している。したがって、「かつ「記憶装置１２に記憶されている抽選権数量情報<当該論理レコードに関連付いている経済的価値情報≦前記Ｓ１において取得した経済的価値情報」の条件を満たす一の論理レコード」とは、「１００<当該論理レコードに関連付いている経済的価値情報≦１０００」の条件を満たすレコードが該当することになり、図４の抽選参照情報１２ａのうち２行目と３行目のレコードが該当する。このように、一度当選した「経済的価値情報」よりも高い「経済的価値情報」について抽選が行われていくのである。先に説明したように、条件に該当する論理レコードのうち関連付いている経済的価値情報が最小のレコードを読み出すのが良いため、ここでは、コンピュータ１１が、図４の抽選参照情報１２ａの２行目と３行目のレコードのうち、経済的価値情報が最小である２行目の「経済的価値情報」が「５００」のレコードを読み出すものとする。
【０１５６】
続いて、抽選補助システム１のコンピュータ１１は、前記Ｓ２において読み出した抽選参照情報１２ａの論理レコードから未抽選数量情報と未当選数量情報とを読み出すと共に、抽選権数量情報を記憶装置１２から読み出すステップを行なう（Ｓ３）。「前記Ｓ２において読み出した抽選参照情報１２ａの論理レコード」は、上記のように図４の抽選参照情報１２ａの２行目であり、当該レコードの「未抽選数量情報」は「８００」であり、「未当選数量情報」は「１」であるため、コンピュータ１１は当該両情報を記憶装置１２から読み出す。また、「抽選権数量情報」は上記のように「１００」であるため、コンピュータ１１は当該情報を記憶装置１２から読み出す。
【０１５７】
次に、抽選補助システム１のコンピュータ１１は、当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップを行なう（Ｓ４）。すなわち、コンピュータ１１は、「当該取得した未抽選数量」たる「８００」を分母として、「当該取得した未当選数量」たる「１」と「抽選権数量」たる「１００」とを乗算した結果である１００（１×１００）を分子として、「当選対象の当選確率」たる「８００分の１００」を算出するのである。
【０１５８】
続いて、抽選補助システム１のコンピュータ１１は、通信インターフェース１４を介して、この算出した当選確率（８００分の１００）を抽選実行システム３に送信するステップを行なう（Ｓ５）。
【０１５９】
そして、抽選補助システム１のコンピュータ１１は、この送信した当選確率に基づき抽選実行システム３により行なわれた抽選の当落結果を、当該抽選実行システム３から通信インターフェース１４を介して受信し、記憶装置１２に格納されている抽選参照情報１２ａのうち、前記Ｓ２において読み出した抽選参照情報１２ａの論理レコードに対応する未抽選数量情報と未当選数量情報とに対し、前記Ｓ４において取得した抽選権数量に基づいて当該抽選の当落結果を反映するステップを行う（Ｓ６）。すなわち、コンピュータ１１は、「前記Ｓ２において読み出した抽選参照情報の論理レコード」である図４の抽選参照情報１２ａの２行目のレコードの、「未抽選数量情報」である「８００」と「未当選数量情報」である「１」とに対し、「前記Ｓ４において取得した抽選権数量」である「１００」に基づいて当該抽選の当落結果を反映するのである。
【０１６０】
ここで、この抽選の当落結果を反映するにあたって、抽選に当選した場合と落選した場合とで、コンピュータ１１が反映する処理が異なる。まず、抽選に当選した場合、コンピュータ１１は、図４の抽選参照情報１２ａの２行目のレコードの「未抽選数量情報」である「８００」から「抽選権数量」である「１００」を減算して「７００」に、「未当選数量情報」である「１」から「１」を減算して「０」に（１回当選が出たため）、夫々更新して記憶装置１２に保存する。また、抽選に落選した場合、コンピュータ１１は、図４の抽選参照情報１２ａの２行目のレコードの「未抽選数量情報」である「８００」から「抽選権数量」である「１００」を減算して「７００」に更新して、「未当選数量情報」である「１」には変更を加えずに（当選しなかったため）、記憶装置１２に保存する。抽選補助システム１のコンピュータ１１がこのような処理を行うことにより、図４の抽選参照情報１２ａの２行目のレコードである「経済的価値情報」が「５００」の抽選に対する結果を反映することができる。
【０１６１】
ここでは、説明の都合上、この抽選にも当選した事として説明を続けることとする。
【０１６２】
続いて、抽選補助システム１のコンピュータ１１は、Ｓ６において受信した抽選の当落結果が、当選であるか否かを判定するステップを行う（Ｓ７）。
【０１６３】
次に、抽選補助システム１のコンピュータ１１は、前記Ｓ１において取得した経済的価値情報と、前記Ｓ２において読み出した論理レコードにおける経済的価値情報と、が同一であるか否かを判定するステップを行う（Ｓ８）。すなわち、コンピュータ１１は、「前記Ｓ１において取得した経済的価値情報」である「１０００」と、「前記Ｓ２において読み出した論理レコードにおける経済的価値情報」である「５００」と、が同一であるか判定する。この場合は一見して分かるように同一でない。
【０１６４】
そして、抽選補助システム１のコンピュータ１１は、前記Ｓ７の判定結果が当選であり、かつ前記Ｓ８の判定結果が同一でない場合に、更に抽選を継続させるか否かを判定する抽選継続判定ステップを行う（Ｓ８、１）。この抽選継続判定ステップにおいて「抽選継続」とされれば、更にＳ９に進み、Ｓ２に進み…というように上記終了条件（抽選に落選する等）に該当するまで抽選は継続していき、上記説明してきたことが更に続く。ここでは、この抽選継続判定ステップにおいて「抽選中止」とされた場合について説明する。
【０１６５】
抽選継続判定ステップにおいて「抽選中止」とされると、この時点で当選している「経済的価値情報」である「５００」についての当選が確定するため、抽選補助システム１のコンピュータ１１は、「５００」である「経済的価値情報」に関連付いた当選対象情報を記憶装置１２に記憶されている当選対象参照情報１２ｂから取得し、当選対象を特定する。図５の当選対象参照情報１２ｂでは該当する当選対象が３つあるため（家電製品、ブランドのカバン、海外旅行）、コンピュータ１１は、３つの当選対象情報を取得し、どの当選対象を選ぶかを抽選利用者に選択させる当選対象選択情報を通信インターフェース１４を介して抽選受付システム２に送信する。そして、コンピュータ１１は、この送信した当選対象選択情報に対する抽選受付システム２からの選択決定情報を受信し、当選対象を特定する。これにより、抽選利用者が同じ「経済的価値情報」に関連付いた当選対象のうちで最も好ましいと思う当選対象を選択することができる。
【０１６６】
ここで、当選した「経済的価値情報」である「５００」以下の経済的価値情報に関連付いている当選対象情報を、記憶装置１２に記憶されている図５の当選対象参照情報１２ｂから全て取得することにより、先の当選対象選択情報を構成しても良い。すなわち、当選対象情報を「ＰＣ」として数量を５つとすれば、当選した「経済的価値情報」である「５００」と同価値となるため、当該選択は許容されるのである。よって、抽選利用者が当選した「経済的価値情報」を上限として、どの当選対象の組み合わせを選ぶかを抽選利用者に選択させることにより、抽選利用者の満足度がより高まるのである。
【０１６７】
また、上記Ｓ６において当該抽選の当落結果を反映することにより、未抽選数量情報が「未抽選数量≦０」となった抽選参照情報１２ａの論理レコードについては、コンピュータ１１が、当該レコードの未抽選数量初期値を未抽選数量情報に格納し、未当選数量初期値を未当選数量情報に格納することにより、初期化するステップを行う。例えば、図４の抽選参照情報１２ａの１行目の論理レコード（経済的価値情報が「１００」）の未抽選数量情報が「未抽選数量≦０」となった場合、コンピュータ１１は、「未抽選数量初期値」である「１００」を「未抽選数量情報」に格納し、「未当選数量初期値」である「１」を「未当選数量情報」に格納することにより、初期化を行う。これにより、同一の経済的価値に対する抽選が継続的に可能となるため、当選対象があまり変化しない抽選においては非常に便利である。
【０１６８】
以上説明したように、本実施形態において抽選補助システム１が、異なる当選対象についての抽選についても経済的価値情報を共用するように動作するため、事業者のリスクを抑え、かつ当選対象は抽選利用者により選択されるため、抽選利用者の意思を反映することが可能になるのである。
【０１６９】
また、本実施形態における抽選補助システム１が行う処理を適宜変更することができる。例えば、上記Ｓ６において当該抽選の当落結果を反映することにより、未抽選数量情報が「未抽選数量≦０」となった抽選参照情報１２ａの論理レコードについては、コンピュータ１１が、当該レコードの経済的価値に対する抽選の受付を終了することも可能である。この場合は、抽選参照情報１２ａの全ての論理レコードについて、未抽選数量情報が「未抽選数量≦０」となった時に全ての抽選が終了することになる。このような抽選処理をすることにより、予め提供する予定である当選本数を確実に提供することができる。
【０１７０】
他にも、図４の抽選参照情報１２ａのデータ構造を変更し、当該抽選参照情報１２ａの中に「当選対象情報」を含めることも考えられる。すなわち、当該抽選参照情報１２ａの「経済的価値情報」に直接「当選対象情報」を関連付けるのである。
【０１７１】
また他にも、上記Ｓ１において受信した抽選開始情報の中に、「当選対象情報」の代わりに当選目標となる「目標経済的価値情報」が含まれていても良い。これにより、上記処理では抽選利用者が目標とする当選対象を決定することによって、最終目標となる「経済的価値情報」が特定されていたが、抽選利用者が目標とする経済的価値情報を直接決定すること（「目標経済的価値情報」）によって、上記抽選処理を行っても良い。また、当該「目標経済的価値情報」は抽選利用者が決定せずとも、コンピュータ１１がランダムに決定するという構成を採用しても良い。また、上記Ｓ１において受信した抽選開始情報の中に「抽選権数量情報」が含まれるとしたが、予め「抽選権数量情報」の初期値を記憶装置１２に格納しておき、抽選利用者の意思に関わらず当該「抽選権数量情報」の初期値を使用して上記処理を行っても良い。
【０１７２】
また、上記記憶装置１２に格納された抽選参照情報１２ａに新規データを登録する場合（新たな当選対象を追加する場合）は、コンピュータ１１が、あるコンピュータから経済的価値情報と未抽選数量情報（初期値）と未当選数量情報（初期値）とを含む抽選参照情報へのデータ登録要求を通信インターフェース１４を介して受信する。そして、コンピュータ１１は、当該データ登録要求に含まれる経済的価値情報と未抽選数量情報と未当選数量情報とを取得する。更に、コンピュータ１１は、この取得した経済的価値情報に基づいて、記憶装置１２に記憶されている抽選参照情報１２ａに当該取得した経済的価値情報と未抽選数量情報と未当選数量情報とをデータ登録する。すなわち、抽選参照情報１２ａは経済的価値情報を基準としてソートされているため、新規データ登録の際は経済的価値情報に基づいて行うのである。これは、抽選参照情報１２ａに当選対象情報が含まれていても同様の処理により、データ登録することが可能である。これにより、柔軟な抽選制度の変更が可能である。
【０１７３】
また、上記記憶装置１２に格納された当選対象参照情報１２ｂに新規データを登録する場合も、コンピュータ１１が、あるコンピュータから経済的価値情報と当選対象情報とを含む当選対象参照情報へのデータ登録要求を通信インターフェース１４を介して受信し、上記と同様に登録する。これにより、新たな当選対象情報を追加することが可能であり、賞品等の追加に便利である。
【０１７４】
以上説明してきたように、本発明は各種抽選の抽選システムに適用することができる。例えば、宝くじの抽選では、抽選受付システム２たる情報端末を各地に置き、「経済的価値情報」を貨幣により表現することにより実現が可能である。また、パチンコやスロットマシンの抽選においても、抽選権価値変換情報１２ｅを活用することにより、相互に当選確率の異なる機種、あるいは同一機種でも設定がことなる機器同士を統合することができる。すなわち、抽選受付システム２たるパチンコ台やスロット台が抽選補助システム１を共用することにより、抽選事業者が安定的な収益をあげることができるのである。また、インターネットカジノの抽選においても、「経済的価値情報」を貨幣により表現し、抽選受付システム２たる情報端末から実行することが可能である。更に、インターネット懸賞等の懸賞の抽選においては、上記実施形態のようにすれば即座に実施が可能である。
【０１７５】
また、本実施形態においては、抽選システムが抽選補助システム１と抽選受付システム２と抽選実行システム３という別々のコンピュータシステムから構成されているとしたが、これらを夫々プログラムとして１つのコンピュータシステム上に実現しても良い。
【産業上の利用可能性】
【０１７６】
本発明は、宝くじ、パチンコ、スロットマシン、福引、インターネットカジノ、インターネット懸賞等の、抽選により当選者を決定する各種抽選の抽選システムを構築する際に特に有用である。すなわち、少なくとも本発明はソフトウェア産業において実施できるため、産業上の利用可能性を備えている。
【図面の簡単な説明】
【０１７７】
【図１】本発明に係る抽選補助システムを含む抽選システム全体の構成図である。
【図２】図１に示す抽選補助システム１の構成図である。
【図３】抽選補助システム１の具体的な構成の一例である。
【図４】抽選参照情報１２ａのデータ構造の一例である。
【図５】当選対象参照情報１２ｂのデータ構造の一例である。
【図６】事業者累積情報１２ｃのデータ構造の一例である。
【図７】抽選参照識別情報１２ｄのデータ構造の一例である。
【図８】抽選権価値変換情報１２ｅのデータ構造の一例である。
【図９】抽選開始情報のデータ構造の一例である。
【符号の説明】
【０１７８】
１    抽選補助システム
２    抽選受付システム
３    抽選実行システム
４    通信ネットワーク
１１    コンピュータ
１２    記憶装置
１２ａ  抽選参照情報
１２ｂ  当選対象参照情報
１２ｃ  事業者累積情報
１２ｄ  抽選参照識別情報
１２ｅ  抽選権価値変換情報
１２ｆ  抽選補助プログラム
１３    入出力装置
１４    通信インターフェース
２１    ＮＩＣ
２２    ディスプレイ
２３    ＣＰＵ
２４    メモリ
２５    キーボード等
２６    ハードディスク
２６ａ  抽選参照情報
２６ｂ  当選対象参照情報
２６ｃ  事業者累積情報
２６ｄ  抽選参照識別情報
２６ｅ  抽選権価値変換情報
２６ｆ  抽選補助プログラム
２７    バス
【図１】
2005190046.tif 000003
【図２】
2005190046.tif 000004
【図３】
2005190046.tif 000005
【図４】
2005190046.tif 000006
【図５】
2005190046.tif 000007
【図６】
2005190046.tif 000008
【図７】
2005190046.tif 000009
【図８】
2005190046.tif 000010
【図９】
2005190046.tif 000011
【手続補正書】
【提出日】平成16年9月14日(2004.9.14)
【手続補正１】
【補正対象書類名】明細書
【補正対象項目名】００７５
【補正方法】変更
【補正の内容】
【００７５】
ここで、「前記コンピュータが、前記記憶装置に記憶されている抽選参照情報において、前記未抽選数量情報が「未抽選数量≦０」となった論理レコードについて、当該未抽選数量情報と当該未抽選数量情報に関連付いている前記未当選数量情報と、を初期化する」とは、継続的な抽選を行なうために抽選補助システムが、未抽選数量情報と当該未抽選数量情報に関連付いている前記未当選数量情報とを初期化するステップを行なうのである。
【手続補正２】
【補正対象書類名】明細書
【補正対象項目名】０１０６
【補正方法】変更
【補正の内容】
【０１０６】
ここで、「抽選参照情報へのデータ登録要求」とは、インターネット懸賞等の抽選システムにおいては、頻繁に当選対象たる賞品が変更されるため、新たな当選対象を抽選参照情報に追加する必要があるため生じるものである。そして、当該データ登録要求には、少なくとも経済的価値情報と未抽選数量情報と未当選数量情報とが含まれており、当該経済的価値情報を基準として「抽選参照情報」にデータ登録される。例えば１００と１０００という２つの経済的価値情報が既に「抽選参照情報」に存在し、ここに経済的価値情報が「５００」である当選対象をデータ登録する際には、１００と１０００との間の位置にデータ登録されるという意味である。
【手続補正３】
【補正対象書類名】明細書
【補正対象項目名】０１３６
【補正方法】変更
【補正の内容】
【０１３６】
また、抽選補助システム１のコンピュータ１１は記憶装置１２から抽選権価値変換情報１２ｅを読み出す。そして、コンピュータ１１は受信した抽選開始情報に含まれる抽選権識別情報（図９においては「抽選権Ｂ」）に対応する「抽選権価値変換情報」を特定する（図８においては「０．５」）。コンピュータ１１は、この特定した「抽選権価値変換情報」（「０．５」）と、受信した抽選開始情報に含まれる抽選権数量（図９においては「２」）とを乗じることにより、抽選に適用する新たな抽選権数量を算出する（ここでは、「０．５×２＝１」）。そして、コンピュータ１１はこの算出した抽選権数量により、先に記憶装置１２に保存した抽選開始情報に含まれる抽選権数量情報を更新する。そして、コンピュータ１１は記憶装置１２から事業者累積情報１２ｃを読み出し、受信した抽選開始情報に含まれる事業者識別情報（図９においては「事業者Ｃ」）に対応する「事業者利得累積情報」（図７においては「４００」）に、先に新たな抽選権数量（「１」）を算出する際に控除した抽選権数量（「１」）を加算し（ここでは、「４００＋１＝４０１」）、同時に「抽選権累積情報」（図７においては「１００」）に新たな抽選権数量（「１」）を加算し（１００＋１＝１０１）、記憶装置１２の事業者累積情報１２ｃを更新する。このように、コンピュータ１１が抽選権価値変換情報１２ｅを使用して抽選開始情報に含まれる「抽選権数量」を補正し、抽選に使用される補正後の「抽選権数量」に基づいて事業者累積情報１２ｃを更新することにより、抽選における事業者の寄与分を更新していくことが可能になる。すなわち、抽選権価値変換情報１２ｅにより控除された抽選権数量は抽選実行の手数料として、「事業者利得累積情報」に加算されることにより事業者の利益となる。この抽選権価値変換情報１２ｅは、事業者の利益制度を決定したりすることに使用するのである。
【手続補正４】
【補正対象書類名】明細書
【補正対象項目名】０１７７
【補正方法】変更
【補正の内容】
【０１７７】
【図１】本発明に係る抽選補助システムを含む抽選システム全体の構成図である。
【図２】図１に示す抽選補助システム１の構成図である。
【図３】抽選補助システム１の具体的な構成の一例である。
【図４】抽選参照情報１２ａのデータ構造の一例である。
【図５】当選対象参照情報１２ｂのデータ構造の一例である。
【図６】抽選参照識別情報１２ｄのデータ構造の一例である。
【図７】事業者累積情報１２ｃのデータ構造の一例である。
【図８】抽選権価値変換情報１２ｅのデータ構造の一例である。
【図９】抽選開始情報のデータ構造の一例である。
【手続補正５】
【補正対象書類名】特許請求の範囲
【補正対象項目名】全文
【補正方法】変更
【補正の内容】
【特許請求の範囲】
【請求項１】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とを関連付けて記憶する記憶装置と、
当該記憶装置を制御するコンピュータと、を備えており、
前記コンピュータが、
（１）前記抽選受付システムから前記抽選開始情報を受信すると、前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とに、当該抽選の当落結果を反映するステップと、
を実行することを特徴とした抽選補助システム。
【請求項２】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報を受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とに前記当選対象情報を関連付けて記憶する記憶装置と、
当該記憶装置を制御するコンピュータと、を備えており、
前記コンピュータが、
（１）前記抽選受付システムから前記当選対象情報を受信すると、当該受信した当選対象情報に対応する前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、当該取得した未抽選数量を分母とし当該取得した未当選数量を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とのうち、前記（１）ステップにおいて受信した当選対象情報に対応する前記未抽選数量情報と前記未当選数量情報とに、当該抽選の当落結果を反映するステップと、
を実行することを特徴とした抽選補助システム。
【請求項３】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選権の数量を表す抽選権数量情報を受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とを関連付けて記憶する記憶装置と、
当該記憶装置を制御するコンピュータと、を備えており、
前記コンピュータが、
（１）前記抽選受付システムから前記抽選権数量情報を受信すると、前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とに、前記（２）ステップにおいて取得した抽選権数量に基づいて当該抽選の当落結果を反映するステップと、
を実行することを特徴とした抽選補助システム。
【請求項４】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報と前記抽選権の数量を表す抽選権数量情報とを受付ける抽選受付システムと、前記抽選を実行して当該抽選の当落を決定する抽選実行システムと、コンピュータ通信が可能な抽選補助システムであって、
当該抽選補助システムは、
未抽選である数量を表す未抽選数量情報と未当選である数量を表す未当選数量情報とに前記当選対象情報を関連付けて記憶する記憶装置と、
当該記憶装置を制御するコンピュータと、を備えており、
前記コンピュータが、
（１）前記抽選受付システムから前記当選対象情報と前記抽選権数量情報とを受信すると、当該受信した当選対象情報に対応する前記未抽選数量情報と前記未当選数量情報とを、前記記憶装置から読み出すステップと、
（２）当該読み出した未抽選数量情報から未抽選数量を取得し、当該読み出した未当選数量情報から未当選数量を取得し、前記受信した抽選権数量情報から抽選権数量を取得し、当該取得した未抽選数量を分母とし、当該取得した未当選数量と抽選権数量との乗算結果を分子として、前記当選対象の当選確率を算出するステップと、
（３）この算出した当選確率を前記抽選実行システムに送信するステップと、
（４）この送信した当選確率に基づき行なわれた抽選の当落結果を当該抽選実行システムから受信し、前記記憶装置に格納されている前記未抽選数量情報と前記未当選数量情報とのうち、前記（１）ステップにおいて受信した当選対象情報に対応する前記未抽選数量情報と前記未当選数量情報とに、前記（２）ステップにおいて取得した抽選権数量に基づいて当該抽選の当落結果を反映するステップと、
を実行することを特徴とした抽選補助システム。
【請求項５】
前記コンピュータが、
（５）前記記憶装置に格納されている未抽選数量情報のうち、「未抽選数量≦０」となった未抽選数量情報に関連付いている当選対象については、前記抽選の受付を終了するステップと、
を実行することを特徴とした請求項１乃至４記載の抽選補助システム。
【請求項６】
前記コンピュータが、
（５）前記記憶装置に格納されている未抽選数量情報のうち「未抽選数量≦０」となった未抽選数量情報と、当該未抽選数量情報に関連付いている前記未当選数量情報と、を初期化するステップと、
を実行することを特徴とした請求項１乃至４記載の抽選補助システム。
【請求項７】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記抽選開始情報を受信することにより前記抽選の開始を認識するステップと、
（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（７）ステップの判定結果が当選である場合に、更に抽選を継続させるか否かを判定する抽選継続判定ステップと、
（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、
を実行することを特徴とした抽選補助システム。
【請求項８】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選目標である目標経済的価値情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記目標経済的価値情報を受信すると、当該受信した目標経済的価値情報から経済的価値情報を取得するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて取得した経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項９】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記抽選開始情報を受信すると、当該抽選の当選目標である目標経済的価値情報を決定するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて決定した目標経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて決定した目標経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項１０】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
前記抽選の当選対象を特定する当選対象情報と未抽選である数量を表す未抽選数量情報と未当選である数量を表す未当選数量情報とに前記経済的価値を表す経済的価値情報を関連付けた抽選参照情報と、
前記抽選権の数量の初期値を表す抽選権数量情報と、を記憶し、
前記コンピュータが、
（１）前記抽選受付システムから前記当選対象情報を受信すると、当該受信した当選対象情報に対応する前記経済的価値情報を前記記憶装置に記憶されている前記抽選参照情報から取得するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて取得した経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項１１】
前記コンピュータが、
前記（７）ステップの判定結果が当選であり、かつ前記（８）ステップの判定結果が同一でない場合に、更に抽選を継続させるか否かを判定する抽選継続判定ステップを行なうことを特徴とした請求項８乃至１０記載の抽選補助システム。
【請求項１２】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選権の数量を表す抽選権数量情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報と、
前記抽選権の数量を表す前記抽選権数量情報と、を記憶し、
前記コンピュータが、
（１）前記抽選受付システムから前記抽選権数量情報を受信すると、当該受信した抽選権数量情報を前記記憶装置に格納するステップと、
（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（７）ステップの判定結果が当選である場合に、更に抽選を継続させるか否かを判定する抽選継続判定ステップと、
（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、
を実行することを特徴とした抽選補助システム。
【請求項１３】
前記コンピュータが、
前記記憶装置に記憶されている抽選参照情報において、全ての論理レコードの前記未抽選数量情報が「未抽選数量≦０」となった場合、前記抽選の受付を終了するステップと、
を実行することを特徴とした請求項７乃至１２記載の抽選補助システム。
【請求項１４】
前記コンピュータが、
前記記憶装置に記憶されている抽選参照情報において、前記未抽選数量情報が「未抽選数量≦０」となった論理レコードについて、当該未抽選数量情報と当該未抽選数量情報に関連付いている前記未当選数量情報と、を初期化するステップと、
を実行することを特徴とした請求項７乃至１２記載の抽選補助システム。
【請求項１５】
前記記憶装置が更に、
前記経済的価値情報に関連付けた前記抽選の当選対象を特定する当選対象情報を記憶し、
前記コンピュータが、
前記抽選に当選した抽選利用者に対して、その当選した経済的価値情報に関連付いた前記当選対象情報を前記記憶装置から取得し、当選対象を特定するステップと、
を実行することを特徴とした請求項７、８、９、１２、１３又は１４記載の抽選補助システム。
【請求項１６】
前記記憶装置が更に、
前記経済的価値情報に関連付けた前記抽選の当選対象を特定する当選対象情報を記憶し、
前記コンピュータが、
前記抽選に当選した抽選利用者に対して、当該当選した経済的価値情報に関連付いている前記当選対象情報を全て前記記憶装置から取得し、どの当選対象を選ぶかを前記抽選利用者に選択させる当選対象選択情報を前記抽選受付システムに送信するステップと、
この送信した当選対象選択情報に対する前記抽選受付システムからの選択決定情報を受信し、前記当選対象を特定するステップと、
を実行することを特徴とした請求項７、８、９、１２、１３又は１４記載の抽選補助システム。
【請求項１７】
前記記憶装置が更に、
前記経済的価値情報に関連付けた前記抽選の当選対象を特定する当選対象情報を記憶し、
前記コンピュータが、
前記抽選に当選した抽選利用者に対して、当該当選した経済的価値情報以下の経済的価値情報に関連付いている前記当選対象情報を全て前記記憶装置から取得し、当該当選した経済的価値情報を上限としてどの当選対象の組み合わせを選ぶかを前記抽選利用者に選択させる当選対象選択情報を前記抽選受付システムに送信するステップと、
この送信した当選対象選択情報に対する前記抽選受付システムからの選択決定情報を受信し、前記当選対象を特定するステップと、
を実行することを特徴とした請求項７、８、９、１２、１３又は１４記載の抽選補助システム。
【請求項１８】
前記記憶装置に記憶されている前記抽選参照情報は、当該抽選参照情報の各論理レコードに関連付いている前記経済的価値情報を基準として昇順又は降順にソートされていることを特徴とした請求項７乃至１２の抽選補助システム。
【請求項１９】
前記抽選継続判定ステップは、
前記コンピュータが、
更に抽選を継続するか否かを前記抽選利用者に選択させる抽選継続選択情報を、前記抽選受付システムに送信するステップと、
この送信した抽選継続選択情報に対する前記抽選受付システムからの回答情報を受信し、当該回答情報が抽選継続か否かを判定するステップと、
からなることを特徴とする請求項７、１１又は１２記載の抽選補助システム。
【請求項２０】
前記抽選継続判定ステップは、
前記コンピュータが、
更に抽選を継続するか否かを抽選継続決定プログラムにより判定させるステップ、
からなることを特徴とする請求項７、１１又は１２記載の抽選補助システム。
【請求項２１】
前記コンピュータが、
前記（２）ステップにおける、前記記憶装置に記憶されている前記抽選参照情報から一の論理レコードを読み出す際に、条件に該当する論理レコードのうち関連付いている経済的価値情報が最小のレコードを読み出すこと、
を特徴とする請求項７乃至１２記載の抽選補助システム。
【請求項２２】
前記記憶装置が、
前記抽選参照情報を複数記憶すると共に、
前記抽選参照情報と当該抽選参照情報を識別するための抽選参照識別情報とを関連付けて記憶し、
前記コンピュータが、
前記抽選受付システムから抽選参照識別情報を受信すると、当該受信した抽選参照識別情報に対応する前記抽選参照情報を前記記憶装置から取得し、当該取得した抽選参照情報を使用して前記各ステップを行うこと、
を特徴とする請求項７乃至１２記載の抽選補助システム。
【請求項２３】
前記記憶装置が更に、
事業者を識別するための事業者識別情報に事業者累積情報を関連付けて記憶し、
前記コンピュータが、
前記（１）ステップにおいて前記抽選受付システムから情報を受信すると、当該情報に含まれている前記事業者識別情報に対応する前記事業者累積情報を、前記記憶装置から読み出ステップと、
この読み出した事業者累積情報に前記抽選権数量情報に応じた加算処理を行い、前記記憶装置に格納するステップと、
を実行することを特徴とした請求項７乃至１２記載の抽選補助システム。
【請求項２４】
前記記憶装置が更に、
前記抽選権の種別を識別する抽選権識別情報に抽選権価値変換情報を関連付けて記憶し、
前記コンピュータが、
前記（１）ステップにおいて前記抽選受付システムから情報を受信すると、当該情報に含まれている前記抽選権識別情報に対応する前記抽選権価値変換情報を、前記記憶装置から読み出ステップと、
この読み出した抽選権価値変換情報に基づいて前記抽選権数量情報を変換するステップと、
を実行することを特徴とした請求項７乃至１２記載の抽選補助システム。
【請求項２５】
抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報を記憶し、
前記抽選参照情報は、各論理レコードに関連付いている前記経済的価値情報の昇順又は降順にソートされており、
前記コンピュータに、
（１）あるコンピュータから前記経済的価値情報と前記未抽選数量情報とを含む前記抽選参照情報へのデータ登録要求を受信すると、当該データ登録要求に含まれる経済的価値情報と未抽選数量情報とを取得するステップと、
（２）この取得した経済的価値情報に基づいて、前記記憶装置に記憶されている抽選参照情報に当該取得した経済的価値情報と未抽選数量情報とをデータ登録するステップと、
を実行させることを特徴とする抽選補助プログラム。
【請求項２６】
抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムであって、
当該抽選補助システムは、
情報を記憶する記憶装置と、当該記憶装置を制御するコンピュータと、を備えており、
前記記憶装置は、
前記抽選の当選対象を特定する当選対象情報と未抽選である数量を表す未抽選数量情報と未当選である数量を表す未当選数量情報とに前記経済的価値を表す経済的価値情報を関連付けた抽選参照情報を記憶し、
前記抽選参照情報は、各論理レコードに関連付いている前記経済的価値情報の昇順又は降順にソートされており、
前記コンピュータに、
（１）あるコンピュータから前記経済的価値情報と前記未抽選数量情報と前記当選対象情報とを含む前記抽選参照情報へのデータ登録要求を受信すると、当該データ登録要求に含まれる経済的価値情報と未抽選数量情報と当選対象情報とを取得するステップと、
（２）この取得した経済的価値情報に基づいて、前記記憶装置に記憶されている抽選参照情報に当該取得した経済的価値情報と未抽選数量情報と当選対象情報とをデータ登録するステップと、
を実行させることを特徴とする抽選補助プログラム。
【請求項２７】
抽選を行なう権利である抽選権の対価として経済的価値を受領し、当該受領する経済的価値の予定収入を限度として、前記抽選に当選した抽選利用者に経済的価値を有する当選対象を提供する抽選システムの一部を構成する抽選補助システムにおけるプログラムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報を記憶すると共に、
前記経済的価値情報に前記抽選の当選対象を特定する当選対象情報を関連付けた当選対象参照情報を記憶し、
前記抽選参照情報は、各論理レコードに関連付いている前記経済的価値情報の昇順又は降順にソートされており、
前記コンピュータに、
（１）あるコンピュータから前記経済的価値情報と前記当選対象情報とを含む前記当選対象参照情報へのデータ登録要求を受信すると、当該データ登録要求に含まれる経済的価値情報と当選対象情報とを取得するステップと、
（２）この取得した経済的価値情報に基づいて、前記記憶装置に記憶されている当選対象参照情報に当該取得した当選対象をデータ登録するステップと、
を実行させることを特徴とする抽選補助プログラム。
【請求項２８】
未抽選である数量を表す未抽選数量情報と未当選である数量を表す未当選数量情報とに経済的価値を表す経済的価値情報を記録媒体上のポインタにより関連付けた抽選参照情報を記録した媒体。
【請求項２９】
抽選の当選対象を特定する当選対象情報と未抽選である数量を表す未抽選数量情報と未当選である数量を表す未当選数量情報とに経済的価値を表す経済的価値情報を記録媒体上のポインタにより関連付けた抽選参照情報を記録した媒体。
【請求項３０】
請求項１乃至４記載の抽選補助システムにおいて、
前記コンピュータに、（１）乃至（４）のステップを実行させることを特徴とする抽選補助プログラム。
【請求項３１】
請求項７乃至１０記載の抽選補助システムにおいて、
前記コンピュータに、（１）乃至（１０）のステップを実行させることを特徴とする抽選補助プログラム。
【請求項３２】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに前記経済的価値を表す経済的価値情報を関連付けた抽選参照情報と、
前記抽選権の数量を表す抽選権数量情報と、を記憶し、
前記コンピュータが、
（１）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（２）前記（１）ステップにおいて読み出した抽選参照情報の論理レコードから前記未抽選数量情報と前記未当選数量情報とを読み出すと共に、前記抽選権数量情報を前記記憶装置から読み出すステップと、
（３）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（４）この算出した当選確率に基づき行なわれた抽選の当落結果を、前記記憶装置に格納されている前記抽選参照情報のうち、前記（１）ステップにおいて読み出した抽選参照情報の論理レコードに対応する前記未抽選数量情報と前記未当選数量情報とに対し、前記（２）ステップにおいて取得した抽選権数量に基づいて反映するステップと、
（５）前記（１）ステップにおいて読み出した抽選参照情報の論理レコードから前記経済的価値情報を取得し、当該取得した経済的価値情報を新たな抽選権数量情報として前記記憶装置に格納するステップと、
を実行することを特徴とした抽選補助システム。
【手続補正書】
【提出日】平成17年2月14日(2005.2.14)
【手続補正１】
【補正対象書類名】特許請求の範囲
【補正対象項目名】全文
【補正方法】変更
【補正の内容】
【特許請求の範囲】
【請求項１】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに経済的価値の数量を表す経済的価値情報を関連付けた抽選参照情報と、
前記抽選権の数量の初期値を表す抽選権数量情報と、を記憶し、
前記コンピュータが、
（１）前記抽選受付システムから前記抽選開始情報を受信することにより前記抽選の開始を認識するステップと、
（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（７）ステップの判定結果が当選である場合に、更に抽選を継続させるか否かを判定する抽選継続判定ステップと、
（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、
を実行することを特徴とした抽選補助システム。
【請求項２】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選目標である目標経済的価値情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに経済的価値の数量を表す経済的価値情報を関連付けた抽選参照情報と、
前記抽選権の数量の初期値を表す抽選権数量情報と、を記憶し、
前記コンピュータが、
（１）前記抽選受付システムから前記目標経済的価値情報を受信すると、当該受信した目標経済的価値情報から経済的価値情報を取得するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて取得した経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項３】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに経済的価値の数量を表す経済的価値情報を関連付けた抽選参照情報と、
前記抽選権の数量の初期値を表す抽選権数量情報と、を記憶し、
前記コンピュータが、
（１）前記抽選受付システムから前記抽選開始情報を受信すると、当該抽選の当選目標である目標経済的価値情報を決定するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて決定した目標経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて決定した目標経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項４】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の当選対象を特定する当選対象情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
前記抽選の当選対象を特定する当選対象情報と未抽選である数量を表す未抽選数量情報と未当選である数量を表す未当選数量情報とに経済的価値の数量を表す経済的価値情報を関連付けた抽選参照情報と、
前記抽選権の数量の初期値を表す抽選権数量情報と、を記憶し、
前記コンピュータが、
（１）前記抽選受付システムから前記当選対象情報を受信すると、当該受信した当選対象情報に対応する前記経済的価値情報を前記記憶装置に記憶されている前記抽選参照情報から取得するステップと、
（２）前記記憶装置に記憶されている前記抽選参照情報のうち、関連付いている前記未抽選数量情報が「未抽選数量≦０」でない論理レコードであり、かつ「前記記憶装置に記憶されている抽選権数量情報<当該論理レコードに関連付いている経済的価値情報≦前記（１）ステップにおいて取得した経済的価値情報」の条件を満たす一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（１）ステップにおいて取得した経済的価値情報と、前記（２）ステップにおいて読み出した論理レコードにおける経済的価値情報と、が同一であるか否かを判定するステップと、
（９）前記（７）ステップの判定結果が当選であり、かつ前記（８）ステップの判定結果が同一でない場合に、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（７）ステップの判定結果が当選であり、かつ前記（８）ステップの判定結果が同一でない場合、前記（７）ステップの判定結果が落選になるまで又は前記（８）ステップの判定結果が同一になるまで、前記（２）から（９）までのステップを繰り返し行なうステップと、
を実行することを特徴とした抽選補助システム。
【請求項５】
前記コンピュータが、
前記（７）ステップの判定結果が当選であり、かつ前記（８）ステップの判定結果が同一でない場合に、更に抽選を継続させるか否かを判定する抽選継続判定ステップを行なうことを特徴とした請求項２乃至４記載の抽選補助システム。
【請求項６】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選権の数量を表す抽選権数量情報を受付ける抽選受付システムと、前記抽選を実行して当該抽選の当落を決定する抽選実行システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに経済的価値の数量を表す経済的価値情報を関連付けた抽選参照情報と、
前記抽選権の数量を表す前記抽選権数量情報と、を記憶し、
前記コンピュータが、
（１）前記抽選受付システムから前記抽選権数量情報を受信すると、当該受信した抽選権数量情報を前記記憶装置に格納するステップと、
（２）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（３）前記（２）ステップにおいて読み出した抽選参照情報の論理レコードから前記未抽選数量情報と前記未当選数量情報とを読み出すと共に、前記抽選権数量情報を前記記憶装置から読み出すステップと、
（４）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（５）この算出した当選確率を前記抽選実行システムに送信するステップと、
（６）この送信した当選確率に基づき行なわれた抽選の当落結果を当該抽選実行システムから受信し、前記記憶装置に格納されている前記抽選参照情報のうち、前記（２）ステップにおいて読み出した抽選参照情報の論理レコードに対応する前記未抽選数量情報と前記未当選数量情報とに対し、前記（４）ステップにおいて取得した抽選権数量に基づいて当該抽選の当落結果を反映するステップと、
（７）当該（６）ステップにおいて受信した抽選の当落結果が、当選であるか否かを判定するステップと、
（８）前記（７）ステップの判定結果が当選である場合に、更に抽選を継続させるか否かを判定する抽選継続判定ステップと、
（９）当該（８）ステップの判定結果が抽選継続である場合、前記（２）ステップにおいて読み出した抽選参照情報の論理レコードから前記経済的価値情報を取得し、当該取得した経済的価値情報を新たな抽選権数量情報として前記記憶装置に格納するステップと、
（１０）前記（８）ステップの判定結果が抽選継続である場合、前記（７）ステップの判定結果が落選になるまで又は前記（８）ステップの判定の結果が抽選中止となるまで又は前記（２）ステップにおいて該当する抽選参照情報の論理レコードがなくなるまで、前記（２）から（９）までのステップを繰り返し行なうステップと、
を実行することを特徴とした抽選補助システム。
【請求項７】
前記コンピュータが、
前記記憶装置に記憶されている抽選参照情報において、全ての論理レコードの前記未抽選数量情報が「未抽選数量≦０」となった場合、前記抽選の受付を終了するステップと、
を実行することを特徴とした請求項１乃至６記載の抽選補助システム。
【請求項８】
前記コンピュータが、
前記記憶装置に記憶されている抽選参照情報において、前記未抽選数量情報が「未抽選数量≦０」となった論理レコードについて、当該未抽選数量情報と当該未抽選数量情報に関連付いている前記未当選数量情報と、を初期化するステップと、
を実行することを特徴とした請求項１乃至６記載の抽選補助システム。
【請求項９】
前記記憶装置が更に、
前記経済的価値情報に関連付けた前記抽選の当選対象を特定する当選対象情報を記憶し、
前記コンピュータが、
前記抽選に当選した抽選利用者に対して、その当選した経済的価値情報に関連付いた前記当選対象情報を前記記憶装置から取得し、当選対象を特定するステップと、
を実行することを特徴とした請求項１、２、３、６、７又は８記載の抽選補助システム。
【請求項１０】
前記記憶装置が更に、
前記経済的価値情報に関連付けた前記抽選の当選対象を特定する当選対象情報を記憶し、
前記コンピュータが、
前記抽選に当選した抽選利用者に対して、当該当選した経済的価値情報に関連付いている前記当選対象情報を全て前記記憶装置から取得し、どの当選対象を選ぶかを前記抽選利用者に選択させる当選対象選択情報を前記抽選受付システムに送信するステップと、
この送信した当選対象選択情報に対する前記抽選受付システムからの選択決定情報を受信し、前記当選対象を特定するステップと、
を実行することを特徴とした請求項１、２、３、６、７又は８記載の抽選補助システム。
【請求項１１】
前記記憶装置が更に、
前記経済的価値情報に関連付けた前記抽選の当選対象を特定する当選対象情報を記憶し、
前記コンピュータが、
前記抽選に当選した抽選利用者に対して、当該当選した経済的価値情報以下の経済的価値情報に関連付いている前記当選対象情報を全て前記記憶装置から取得し、当該当選した経済的価値情報を上限としてどの当選対象の組み合わせを選ぶかを前記抽選利用者に選択させる当選対象選択情報を前記抽選受付システムに送信するステップと、
この送信した当選対象選択情報に対する前記抽選受付システムからの選択決定情報を受信し、前記当選対象を特定するステップと、
を実行することを特徴とした請求項１、２、３、６、７又は８記載の抽選補助システム。
【請求項１２】
前記記憶装置に記憶されている前記抽選参照情報は、当該抽選参照情報の各論理レコードに関連付いている前記経済的価値情報を基準として昇順又は降順にソートされていることを特徴とした請求項１乃至６の抽選補助システム。
【請求項１３】
前記抽選継続判定ステップは、
前記コンピュータが、
更に抽選を継続するか否かを前記抽選利用者に選択させる抽選継続選択情報を、前記抽選受付システムに送信するステップと、
この送信した抽選継続選択情報に対する前記抽選受付システムからの回答情報を受信し、当該回答情報が抽選継続か否かを判定するステップと、
からなることを特徴とする請求項１、５又は６記載の抽選補助システム。
【請求項１４】
前記抽選継続判定ステップは、
前記コンピュータが、
更に抽選を継続するか否かを抽選継続決定プログラムにより判定させるステップ、
からなることを特徴とする請求項１、５又は６記載の抽選補助システム。
【請求項１５】
前記コンピュータが、
前記（２）ステップにおける、前記記憶装置に記憶されている前記抽選参照情報から一の論理レコードを読み出す際に、条件に該当する論理レコードのうち関連付いている経済的価値情報が最小のレコードを読み出すこと、
を特徴とする請求項１乃至６記載の抽選補助システム。
【請求項１６】
前記記憶装置が、
前記抽選参照情報を複数記憶すると共に、
前記抽選参照情報と当該抽選参照情報を識別するための抽選参照識別情報とを関連付けて記憶し、
前記コンピュータが、
前記抽選受付システムから抽選参照識別情報を受信すると、当該受信した抽選参照識別情報に対応する前記抽選参照情報を前記記憶装置から取得し、当該取得した抽選参照情報を使用して前記各ステップを行うこと、
を特徴とする請求項１乃至６記載の抽選補助システム。
【請求項１７】
前記記憶装置が更に、
事業者を識別するための事業者識別情報に事業者累積情報を関連付けて記憶し、
前記コンピュータが、
前記（１）ステップにおいて前記抽選受付システムから情報を受信すると、当該情報に含まれている前記事業者識別情報に対応する前記事業者累積情報を、前記記憶装置から読み出ステップと、
この読み出した事業者累積情報に前記抽選権数量情報に応じた加算処理を行い、前記記憶装置に格納するステップと、
を実行することを特徴とした請求項１乃至６記載の抽選補助システム。
【請求項１８】
前記記憶装置が更に、
前記抽選権の種別を識別する抽選権識別情報に抽選権価値変換情報を関連付けて記憶し、
前記コンピュータが、
前記（１）ステップにおいて前記抽選受付システムから情報を受信すると、当該情報に含まれている前記抽選権識別情報に対応する前記抽選権価値変換情報を、前記記憶装置から読み出ステップと、
この読み出した抽選権価値変換情報に基づいて前記抽選権数量情報を変換するステップと、
を実行することを特徴とした請求項１乃至６記載の抽選補助システム。
【請求項１９】
請求項１乃至４記載の抽選補助システムにおいて、
前記コンピュータに、（１）乃至（１０）のステップを実行させることを特徴とする抽選補助プログラム。
【請求項２０】
抽選を行なう権利である抽選権の対価として経済的価値を受領し、当該受領する経済的価値の予定収入を限度として、前記抽選に当選した抽選利用者に経済的価値を有する当選対象を提供する抽選システムにおいて、
前記抽選の開始を指示する抽選開始情報を受付ける抽選受付システムと、コンピュータ通信が可能な抽選補助システムであって、
当該抽選補助システムは、
情報を記憶する記憶装置と、当該記憶装置を制御するコンピュータと、を備えており、
前記記憶装置は、
未抽選である数量を表す未抽選数量情報と未当選である数量を表す未当選数量情報とに経済的価値の数量を表す経済的価値情報を関連付けた抽選参照情報と、
前記抽選権の数量を表す抽選権数量情報と、を記憶し、
前記コンピュータが、
（１）前記記憶装置に記憶されている前記抽選参照情報において、関連付いている前記未抽選数量情報が「未抽選数量≦０」でない論理レコードであり、かつ当該論理レコードに関連付いている前記経済的価値情報が前記記憶装置に記憶されている抽選権数量情報を超えるもののうちから一の論理レコードを読み出すステップと、
（２）前記（１）ステップにおいて読み出した抽選参照情報の論理レコードから前記未抽選数量情報と前記未当選数量情報とを読み出すと共に、前記抽選権数量情報を前記記憶装置から読み出すステップと、
（３）当該読み出した未抽選数量情報から未抽選数量を取得し、当該読み出した未当選数量情報から未当選数量を取得し、当該読み出した抽選権数量情報から抽選権数量を取得し、当該取得した未抽選数量を分母とし、当該取得した未当選数量と抽選権数量との乗算結果を分子として、前記当選対象の当選確率を算出するステップと、
（４）この算出した当選確率に基づき行なわれた抽選の当落結果を、前記記憶装置に格納されている前記抽選参照情報のうち、前記（１）ステップにおいて読み出した抽選参照情報の論理レコードに対応する前記未抽選数量情報と前記未当選数量情報とに対し、前記（２）ステップにおいて取得した抽選権数量に基づいて反映するステップと、
（５）前記（１）ステップにおいて読み出した抽選参照情報の論理レコードから前記経済的価値情報を取得し、当該取得した経済的価値情報を新たな抽選権数量情報として前記記憶装置に格納するステップと、
を実行することを特徴とした抽選補助システム。
【請求項２１】
請求項６記載の抽選補助システムにおいて、
前記コンピュータに、（１）乃至（１０）のステップを実行させることを特徴とする抽選補助プログラム。
【請求項２２】
請求項２０記載の抽選補助システムにおいて、
前記コンピュータに、（１）乃至（５）のステップを実行させることを特徴とする抽選補助プログラム。
【請求項２３】
請求項１９記載の抽選補助プログラムを記録した媒体。
【請求項２４】
請求項２１記載の抽選補助プログラムを記録した媒体。
【請求項２５】
請求項２２記載の抽選補助プログラムを記録した媒体。